(57)【特許請求の範囲】
【請求項１】
搬送波集成技法が適用された無線通信システムにおいて端末がＦＤＤ（Ｆｒｅｑｕｅｎｃｙ  Ｄｉｖｉｓｉｏｎ  Ｄｕｐｌｅｘ）セカンダリ（Ｓｅｃｏｎｄａｒｙ）セルに対するチャネル状態情報（Ｃｈａｎｎｅｌ  Ｓｔａｔｕｓ  Ｉｎｆｏｒｍａｔｉｏｎ；ＣＳＩ）を報告する方法であって、
ＴＤＤ（Ｔｉｍｅ  Ｄｉｖｉｓｉｏｎ  Ｄｕｐｌｅｘ）プライマリ（Ｐｒｉｍａｒｙ）セルの特定上りリンク／下りリンクサブフレーム設定上の下りリンクサブフレームの位置、及び特定上りリンク／下りリンクサブフレーム設定の既に設定された時間長さよりも長いＤｗＰＴＳ（Ｄｏｗｎｌｉｎｋ  Ｐｉｌｏｔ  Ｔｉｍｅ  Ｓｌｏｔ）を有する特別サブフレームの位置と一致する上記ＦＤＤセカンダリセルでのサブフレームを、前記ＣＳＩ測定のための有効サブフレームとして設定するステップであって、前記ＴＤＤプライマリセルでの上りリンクから下りリンクへのサブフレームでの無線リソースの利用を変更するための上りリンク／下りリンクサブフレーム設定に関する情報の検出が成功した場合でも、前記特定上りリンク／下りリンクサブフレーム設定は、システム情報によって事前に設定される上りリンク／下りリンクサブフレーム設定であるステップと、
前記有効サブフレームのうち少なくとも一つで前記ＣＳＩを測定するステップと、
前記ＣＳＩをネットワークに報告するステップと、
を有することを特徴とする、チャネル状態情報報告方法。
【請求項２】
前記端末は、前記ＴＤＤプライマリセル及び前記ＦＤＤセカンダリセルでの同時（ｓｉｍｕｌｔａｎｅｏｕｓ）送信及び受信が不可能であることを特徴とする、請求項１に記載のチャネル状態情報報告方法。
【請求項３】
前記ＦＤＤセカンダリセルの上りリンク帯域は、前記ＴＤＤプライマリセルの帯域と閾値以下で隣接していることを特徴とする、請求項１に記載のチャネル状態情報報告方法。
【請求項４】
前記上りリンク／下りリンクサブフレーム設定に関する情報の検出に成功しなかった場合、前記特定上りリンク／下りリンクサブフレーム設定は、システム情報によって事前に設定される上りリンク／下りリンクサブフレーム設定であることを特徴とする、請求項１に記載のチャネル状態情報報告方法。
【発明の詳細な説明】
【技術分野】
【０００１】
本発明は、無線通信システムに関し、特に、無線通信システムにおいてチャネル状態情報の参照リソースを設定する方法及びそのための装置に関する。
【背景技術】
【０００２】
本発明を適用できる無線通信システムの一例として、３ＧＰＰ ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。Ｅ−ＵＭＴＳを一般にＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ ７及びＲｅｌｅａｓｅ ８を参照すればよい。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．４４、３、５、１０、１５、２０ＭＨｚなどの帯域幅のいずれか一つに設定され、複数の端末に下り又は上り送信サービスを提供する。個別のセルは個別の帯域幅を提供するように設定されてもよい。基地局は、複数の端末に関するデータ送受信を制御する。下りリンク（Ｄｏｗｎｌｉｎｋ；ＤＬ）データについて、基地局は下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は上りリンクスケジューリング情報を該当の端末に送信し、該当の端末が使用できる時間／周波数領域、符号化、データサイズ、ＨＡＲＱ関連情報などを知らせる。基地局同士の間には、ユーザトラヒック又は制御トラヒックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位で端末の移動性を管理する。
【０００６】
無線通信技術は、ＷＣＤＭＡに基づいてＬＴＥにまで開発されてきたが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数帯域の使用、単純構造と開放型インターフェース、端末の適度な電力消耗などが要求される。
【発明の概要】
【発明が解決しようとする課題】
【０００７】
上述したような議論に基づき、以下では、無線通信システムにおいてチャネル状態情報の参照リソースを設定する方法及びそのための装置を提案する。
【課題を解決するための手段】
【０００８】
本発明の一実施例である搬送波集成技法が適用された無線通信システムにおいて端末がＦＤＤ（Ｆｒｅｑｕｅｎｃｙ  Ｄｉｖｉｓｉｏｎ  Ｄｕｐｌｅｘ）セカンダリ（Ｓｅｃｏｎｄａｒｙ）セルに対するチャネル状態情報（Ｃｈａｎｎｅｌ  Ｓｔａｔｕｓ  Ｉｎｆｏｒｍａｔｉｏｎ；ＣＳＩ）を報告する方法は、ＴＤＤ（Ｔｉｍｅ  Ｄｉｖｉｓｉｏｎ  Ｄｕｐｌｅｘ）プライマリ（Ｐｒｉｍａｒｙ）セルの特定上りリンク／下りリンクサブフレーム設定上の下りリンクサブフレームの位置又は既に設定された長さ以上の下りリンクリソースを含む特別サブフレームの位置と一致する、前記ＦＤＤセカンダリセルでのサブフレームを、前記ＣＳＩ測定のための有効サブフレームとして設定するステップと、前記有効サブフレームのうち少なくとも一つで前記ＣＳＩを測定するステップと、前記ＣＳＩをネットワークに報告するステップとを有することを特徴とする。
【０００９】
好ましくは、前記端末は、前記ＴＤＤプライマリセル及び前記ＦＤＤセカンダリセルでの同時（ｓｉｍｕｌｔａｎｅｏｕｓ）送信及び受信が不可能であることを特徴とする。又は、前記ＦＤＤセカンダリセルの上りリンク帯域は、前記ＴＤＤプライマリセルの帯域と閾値以下で隣接していることを特徴とする。より好ましくは、前記特定上りリンク／下りリンクサブフレーム設定は、システム情報によって事前に設定される上りリンク／下りリンクサブフレーム設定であることを特徴とする。
【００１０】
また、前記方法は、前記ＴＤＤプライマリセルでのサブフレーム用途動的変更のための上りリンク／下りリンクサブフレーム設定に関する情報を検出するステップをさらに有することができる。この場合、前記上りリンク／下りリンクサブフレーム設定に関する情報の検出に失敗すると、前記特定上りリンク／下りリンクサブフレーム設定は、システム情報によって事前に設定される上りリンク／下りリンクサブフレーム設定であることを特徴とする。
【００１１】
一方、本発明の他の実施例である搬送波集成技法が適用された無線通信システムにおいて端末がＴＤＤ（Ｔｉｍｅ  Ｄｉｖｉｓｉｏｎ  Ｄｕｐｌｅｘ）セカンダリ（Ｓｅｃｏｎｄａｒｙ）セルに対するチャネル状態情報（Ｃｈａｎｎｅｌ  Ｓｔａｔｕｓ  Ｉｎｆｏｒｍａｔｉｏｎ；ＣＳＩ）を報告する方法は、前記ＴＤＤセカンダリセルの特定上りリンク／下りリンクサブフレーム設定上の下りリンクサブフレーム又は既に設定された長さ以上の下りリンクリソースを含む特別サブフレームを、前記ＴＤＤセカンダリセルでの前記ＣＳＩ測定のための有効サブフレームとして設定するステップと、前記有効サブフレームのうち少なくとも一つで前記ＣＳＩを測定するステップと、前記ＣＳＩをネットワークに報告するステップとを有することを特徴とする。
【００１２】
好ましくは、前記端末は、ＦＤＤ（Ｆｒｅｑｕｅｎｃｙ  Ｄｉｖｉｓｉｏｎ  Ｄｕｐｌｅｘ）プライマリ（Ｐｒｉｍａｒｙ）セル及び前記ＴＤＤセカンダリセルでの同時（ｓｉｍｕｌｔａｎｅｏｕｓ）送信及び受信が不可能であることを特徴とする。又は、ＦＤＤ（Ｆｒｅｑｕｅｎｃｙ  Ｄｉｖｉｓｉｏｎ  Ｄｕｐｌｅｘ）プライマリ（Ｐｒｉｍａｒｙ）セルの上りリンク帯域と前記ＴＤＤセカンダリセルの帯域とが閾値以下で隣接していることを特徴とする。
【００１３】
より好ましくは、前記ネットワークから前記有効サブフレームのうちの特定サブフレームに対する前記ＦＤＤプライマリセルでの上りリンクスケジューリング情報を受信した場合、前記スケジューリング情報は無視することができる。或いは、前記特定サブフレームを前記有効サブフレームから除外してもよい。
【００１４】
また、前記特定上りリンク／下りリンクサブフレーム設定はシステム情報によって事前に設定される上りリンク／下りリンクサブフレーム設定又は物理層で示される上りリンク／下りリンクサブフレーム設定であることを特徴とする。
【００１５】
一方、前記方法は、前記ＴＤＤセカンダリセルでの動的サブフレーム用途変更のための上りリンク／下りリンクサブフレーム設定に関する情報を検出するステップをさらに有することができ、前記上りリンク／下りリンクサブフレーム設定に関する情報の検出に失敗した場合、前記特定上りリンク／下りリンクサブフレーム設定は、システム情報によって事前に設定される上りリンク／下りリンクサブフレーム設定であることが好ましい。
【発明の効果】
【００１６】
本発明の実施例によれば、無線リソースの用途を動的に変更可能な通信システムにおいて、チャネル状態情報の測定のための参照リソースをより効率的に定義することができ、これによって、チャネル状態情報の測定をより安定して行うことが可能になる。
【００１７】
本発明から得られる効果は、以上で言及した効果に制限されず、言及していない他の効果は、以下の記載から、本発明の属する技術の分野における通常の知識を有する者に明確に理解されるであろう。
【図面の簡単な説明】
【００１８】
【図１】図１は、無線通信システムの一例としてＥ−ＵＭＴＳネットワーク構造を概略的に示す図である。
【図２】図２は、３ＧＰＰ無線接続ネットワーク規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）の構造を示す図である。
【図３】図３は、３ＧＰＰシステムに用いられる物理チャネル及びこれらのチャネルを用いた一般的な信号送信方法を説明するための図である。
【図４】図４は、ＬＴＥシステムで用いられる下りリンク無線フレームの構造を例示する図である。
【図５】図５は、ＬＴＥシステムで用いられる上りリンクサブフレームの構造を示す図である。
【図６】図６は、ＬＴＥ  ＴＤＤシステムで無線フレームの構造を例示する図である。
【図７】図７は、搬送波集成（ｃａｒｒｉｅｒ  ａｇｇｒｅｇａｔｉｏｎ）技法を説明する概念図である。
【図８】図８は、本発明の実施例に係るＣＳＩの報告方法を示すフローチャートである。
【図９】図９は、本発明の他の実施例に係るＣＳＩの報告方法を示すフローチャートである。
【図１０】図１０は、本発明の一実施例に係る通信装置のブロック構成図である。
【発明を実施するための形態】
【００１９】
以下に添付の図面を参照して説明する本発明の実施例から、本発明の構成、作用及び他の特徴が容易に理解されるであろう。以下に説明する実施例は、本発明の技術的特徴が３ＧＰＰシステムに適用された例である。
【００２０】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。また、本明細書において、基地局の名称は、ＲＲＨ（ｒｅｍｏｔｅ  ｒａｄｉｏ  ｈｅａｄ）、送信ポイント（ｔｒａｎｓｍｉｓｓｉｏｎ  ｐｏｉｎｔ；ＴＰ）、受信ポイント（ｒｅｃｅｐｔｉｏｎ  ｐｏｉｎｔ；ＲＰ）、ｅＮＢ、中継機（ｒｅｌａｙ）などを含む包括的な意味で使われる。
【００２１】
図２は、３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）のコントロールプレーン及びユーザプレーンの構造を示す図である。コントロールプレーンは、端末（ＵＥ）とネットワークとが呼を管理するために用いる制御メッセージが送信される通路のことを意味する。ユーザプレーンは、アプリケーション層で生成されたデータ、例えば、音声データ又はインターネットパケットデータなどが送信される通路のことを意味する。
【００２２】
第１層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位の媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）で接続されている。該伝送チャネルを介して媒体接続制御層と物理層との間にデータが移動する。送信側の物理層と受信側の物理層との間には物理チャネルを介してデータが移動する。該物理チャネルは、時間及び周波数を無線リソースとして活用する。具体的に、物理チャネルは、下りリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２３】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して、上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼できるデータ送信を支援する。ＲＬＣ層の機能は、ＭＡＣ内部の機能ブロックによって具現されてもよい。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを効率的に送信するために、余分の制御情報を減らすヘッダー圧縮（Ｈｅａｄｅｒ  Ｃｏｍｐｒｅｓｓｉｏｎ）機能を果たす。
【００２４】
第３層の最下部に位置する無線リソース制御（Ｒａｄｉｏ  Ｒｅｓｏｕｒｃｅ  Ｃｏｎｔｒｏｌ；ＲＲＣ）層は、コントロールプレーンにのみ定義される。ＲＲＣ層は、無線ベアラー（Ｒａｄｉｏ  Ｂｅａｒｅｒ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関連して、論理チャネル、伝送チャネル及び物理チャネルの制御を担当する。無線ベアラー（ＲＢ）は、端末とネットワークとの間のデータ伝達のために第２層によって提供されるサービスのことを意味する。そのために、端末のＲＲＣ層とネットワークのＲＲＣ層とがＲＲＣメッセージを互いに交換する。端末のＲＲＣ層とネットワークのＲＲＣ層との間にＲＲＣ接続（ＲＲＣ  Ｃｏｎｎｅｃｔｅｄ）がある場合、端末はＲＲＣ接続状態（Ｃｏｎｎｅｃｔｅｄ  Ｍｏｄｅ）にあり、そうでない場合は、ＲＲＣ休止状態（Ｉｄｌｅ  Ｍｏｄｅ）にある。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００２５】
基地局（ｅＮＢ）を構成する一つのセルは、１．４、３、５、１０、１５、２０ＭＨｚなどの帯域幅のうち一つに設定され、複数の端末に下り又は上り送信サービスを提供する。別個のセルは別個の帯域幅を提供するように設定されてもよい。
【００２６】
ネットワークから端末にデータを送信する下り伝送チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラヒックや制御メッセージを送信する下りＳＣＨ（Ｓｈａｒｅｄ  Ｃｈａｎｎｅｌ）などがある。下りマルチキャスト又は放送サービスのトラヒック又は制御メッセージは、下りＳＣＨで送信されてもよく、別の下りＭＣＨ（Ｍｕｌｔｉｃａｓｔ  Ｃｈａｎｎｅｌ）で送信されてもよい。一方、端末からネットワークにデータを送信する上り伝送チャネルとしては、初期制御メッセージを送信するＲＡＣＨ（Ｒａｎｄｏｍ  Ａｃｃｅｓｓ  Ｃｈａｎｎｅｌ）、ユーザトラヒックや制御メッセージを送信する上りＳＣＨ（Ｓｈａｒｅｄ  Ｃｈａｎｎｅｌ）がある。伝送チャネルの上位に存在し、伝送チャネルにマップされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２７】
図３は、３ＧＰＰシステムに用いられる物理チャネル及びこれらのチャネルを用いた一般の信号送信方法を説明するための図である。
【００２８】
端末は、電源が入ったり、新しいセルに進入したりした場合に、基地局と同期を取るなどの初期セル探索（Ｉｎｉｔｉａｌ  ｃｅｌｌ  ｓｅａｒｃｈ）作業を行う（Ｓ３０１）。そのために、端末は、基地局から１次同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及び２次同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信して基地局と同期を取り、セルＩＤなどの情報を取得することができる。その後、端末は、基地局から物理放送チャネル（Ｐｈｙｓｉｃａｌ  Ｂｒｏａｄｃａｓｔ  Ｃｈａｎｎｅｌ）を受信し、セル内放送情報を取得することができる。一方、端末は、初期セル探索段階で、下りリンク参照信号（Ｄｏｗｎｌｉｎｋ  Ｒｅｆｅｒｅｎｃｅ  Ｓｉｇｎａｌ；ＤＬ ＲＳ）を受信し、下りリンクチャネル状態を確認することができる。
【００２９】
初期セル探索を終えた端末は、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、及び当該ＰＤＣＣＨに載せられた情報に基づいて物理下りリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を取得することができる（Ｓ３０２）。
【００３０】
一方、基地局に初めて接続したり又は信号送信のための無線リソースがない場合には、端末は基地局にランダムアクセス手順（Ｒａｎｄｏｍ  Ａｃｃｅｓｓ  Ｐｒｏｃｅｄｕｒｅ；ＲＡＣＨ）を行うことができる（Ｓ３０３乃至Ｓ３０６）。そのために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を介して特定シーケンスをプリアンブルとして送信し（Ｓ３０３及びＳ３０５）、ＰＤＣＣＨ及び対応するＰＤＳＣＨを介して、プリアンブルに対する応答メッセージを受信することができる（Ｓ３０４及びＳ３０６）。競合ベースのＲＡＣＨに対しては、衝突解決手順（Ｃｏｎｔｅｎｔｉｏｎ  Ｒｅｓｏｌｕｔｉｏｎ  Ｐｒｏｃｅｄｕｒｅ）をさらに行うことができる。
【００３１】
上述の手順を行った端末は、その後、一般的な上りリンク／下りリンク信号送信手順として、ＰＤＣＣＨ／ＰＤＳＣＨ受信（Ｓ３０７）、及び物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）送信（Ｓ３０８）を行うことができる。特に、端末はＰＤＣＣＨを介して下りリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩは、端末に対するリソース割り当て情報のような制御情報を含んでおり、その使用目的によってフォーマットが異なる。
【００３２】
一方、端末が上りリンクで基地局に送信する又は端末が基地局から受信する制御情報としては、下りリンク／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ ＬＴＥシステムでは、端末は、これらのＣＱＩ／ＰＭＩ／ＲＩなどの制御情報をＰＵＳＣＨ及び／又はＰＵＣＣＨを介して送信することができる。
【００３３】
図４は、下りリンク無線フレームで一つのサブフレームの制御領域に含まれる制御チャネルを例示する図である。
【００３４】
図４を参照すると、サブフレームは１４個のＯＦＤＭシンボルで構成されている。サブフレーム設定によって、先頭における１乃至３個のＯＦＤＭシンボルは制御領域として用いられ、残りの１３個〜１１個のＯＦＤＭシンボルはデータ領域として用いられる。同図で、Ｒ１〜Ｒ４は、アンテナ０〜３に対する参照信号（Ｒｅｆｅｒｅｎｃｅ  Ｓｉｇｎａｌ（ＲＳ）又はＰｉｌｏｔ  Ｓｉｇｎａｌ）を表す。ＲＳは、制御領域及びデータ領域を問わず、サブフレーム内に一定のパターンで固定される。制御チャネルは、制御領域でＲＳが割り当てられていないリソースに割り当てられ、トラヒックチャネルもデータ領域でＲＳが割り当てられていないリソースに割り当てられる。制御領域に割り当てられる制御チャネルには、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などがある。
【００３５】
ＰＣＦＩＣＨは物理制御フォーマット指示子チャネルであり、毎サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは４個のＲＥＧ（Ｒｅｓｏｕｒｃｅ  Ｅｌｅｍｅｎｔ  Ｇｒｏｕｐ）で構成され、各ＲＥＧはセルＩＤ（Ｃｅｌｌ  ＩＤｅｎｔｉｔｙ）に基づいて制御領域内に分散される。１個のＲＥＧは４個のＲＥ（Ｒｅｓｏｕｒｃｅ  Ｅｌｅｍｅｎｔ）で構成される。ＲＥは、１副搬送波×１ ＯＦＤＭシンボルと定義される最小物理リソースを表す。ＰＣＦＩＣＨ値は帯域幅によって、１〜３又は２〜４の値を示し、ＱＰＳＫ（Ｑｕａｄｒａｔｕｒｅ  Ｐｈａｓｅ  Ｓｈｉｆｔ  Ｋｅｙｉｎｇ）で変調される。
【００３６】
ＰＨＩＣＨは、物理ＨＡＲＱ（Ｈｙｂｒｉｄ−Ａｕｔｏｍａｔｉｃ  Ｒｅｐｅａｔ  ａｎｄ  ｒｅｑｕｅｓｔ）指示子チャネルであり、上りリンク送信に対するＨＡＲＱ ＡＣＫ／ＮＡＣＫを搬送するために用いられる。すなわち、ＰＨＩＣＨは、上りリンクＨＡＲＱのためのＤＬ ＡＣＫ／ＮＡＣＫ情報が送信されるチャネルを表す。ＰＨＩＣＨは、１個のＲＥＧで構成され、セル特定（ｃｅｌｌ−ｓｐｅｃｉｆｉｃ）にスクランブル（ｓｃｒａｍｂｌｉｎｇ）される。ＡＣＫ／ＮＡＣＫは１ビットで指示され、ＢＰＳＫ（Ｂｉｎａｒｙ  ｐｈａｓｅ  ｓｈｉｆｔ  ｋｅｙｉｎｇ）で変調される。変調されたＡＣＫ／ＮＡＣＫは拡散因子（Ｓｐｒｅａｄｉｎｇ  Ｆａｃｔｏｒ；ＳＦ）＝２又は４で拡散される。同一のリソースにマップされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ（グループ）は周波数領域及び／又は時間領域でダイバーシチ利得を得るために３回反復（ｒｅｐｅｔｉｔｉｏｎ）される。
【００３７】
ＰＤＣＣＨは物理下りリンク制御チャネルであり、サブフレームで先頭におけるｎ個のＯＦＤＭシンボルに割り当てられる。ここで、ｎは１以上の整数であり、ＰＣＦＩＣＨによって指示される。ＰＤＣＣＨは一つ以上のＣＣＥ（Ｃｏｎｔｒｏｌ  Ｃｈａｎｎｅｌ  Ｅｌｅｍｅｎｔ）で構成される。ＰＤＣＣＨは、伝送チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）のリソース割り当てに関する情報、上りリンクスケジューリンググラント（Ｕｐｌｉｎｋ  Ｓｃｈｅｄｕｌｉｎｇ  Ｇｒａｎｔ）、ＨＡＲＱ情報などを、各端末又は端末グループに送る。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）はＰＤＳＣＨを介して送信される。したがって、基地局と端末は一般に、特定の制御情報又は特定のサービスデータ以外は、ＰＤＳＣＨを介してそれぞれ送信及び受信する。
【００３８】
ＰＤＳＣＨのデータがどの端末（１つ又は複数の端末）に送信されるものか、これら端末がどのようにＰＤＳＣＨデータを受信してデコードすべきかに関する情報などが、ＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（ｃｙｃｌｉｃ  ｒｅｄｕｎｄａｎｃｙ  ｃｈｅｃｋ）マスクされており、「Ｂ」という無線リソース（例、周波数位置）及び「Ｃ」という伝送形式情報（例、伝送ブロックサイズ、変調方式、コーディング情報など）を用いて送信されるデータに関する情報が、特定サブフレームで送信されると仮定する。この場合、セル内の端末は、自身のＲＮＴＩ情報を用いてＰＤＣＣＨを監視（ｍｏｎｉｔｅｒｉｎｇ）し、「Ａ」のＲＮＴＩを有する一つ以上の端末があると、これらの端末はＰＤＣＣＨを受信し、受信したＰＤＣＣＨの情報に基づいて、「Ｂ」及び「Ｃ」が示すＰＤＳＣＨを受信する。
【００３９】
図５は、ＬＴＥシステムで用いられる上りリンクサブフレームの構造を示す図である。
【００４０】
図５を参照すると、上りリンクサブフレームは、制御情報を搬送するＰＵＣＣＨ（Ｐｈｙｓｉｃａｌ  Ｕｐｌｉｎｋ  Ｃｏｎｔｒｏｌ  ＣＨａｎｎｅｌ）が割り当てられる領域と、ユーザデータを搬送するＰＵＳＣＨ（Ｐｈｙｓｉｃａｌ  Ｕｐｌｉｎｋ  Ｓｈａｒｅｄ  ＣＨａｎｎｅｌ）が割り当てられる領域とに区別される。サブフレームで周波数領域の中央部分がＰＵＳＣＨに割り当てられ、周波数領域においてデータ領域の両側部分がＰＵＣＣＨに割り当てられる。ＰＵＣＣＨ上で送信される制御情報は、ＨＡＲＱに用いられるＡＣＫ／ＮＡＣＫ、下りリンクチャネル状態を示すＣＱＩ（Ｃｈａｎｎｅｌ  Ｑｕａｌｉｔｙ  Ｉｎｄｉｃａｔｏｒ）、ＭＩＭＯのためのＲＩ（Ｒａｎｋ  Ｉｎｄｉｃａｔｏｒ）、上りリンクリソース割り当て要請であるＳＲ（Ｓｃｈｅｄｕｌｉｎｇ  Ｒｅｑｕｅｓｔ）などがある。一つの端末に対するＰＵＣＣＨは、サブフレーム内の各スロットで別個の周波数を占める一つのリソースブロックを使用する。すなわち、ＰＵＣＣＨに割り当てられる２個のリソースブロックはスロット境界で周波数ホッピング（ｆｒｅｑｕｅｎｃｙ  ｈｏｐｐｉｎｇ）する。特に、図６は、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられることを例示している。
【００４１】
また、一つのサブフレーム内でサウンディング参照信号は、一つのサブフレーにおいて時間軸上では最後のシンボルの区間、周波数上ではデータの送信帯域で送信される。同一サブフレームの最後のシンボルで送信される複数の端末のサウンディング参照信号は、周波数の位置によって区別することができる。
【００４２】
図６は、ＬＴＥ ＴＤＤシステムにおいて無線フレームの構造を例示する図である。ＬＴＥ ＴＤＤシステムにおいて無線フレームは２個のハーフフレーム（ｈａｌｆ  ｆｒａｍｅ）で構成され、各ハーフフレームは、２個のスロットを含む４個の一般サブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ：ＧＰ）及びＵｐＰＴＳ（Ｕｐｌｉｎｋ  Ｐｉｌｏｔ  Ｔｉｍｅ  Ｓｌｏｔ）を含む特別サブフレーム（ｓｐｅｃｉａｌ  ｓｕｂｆｒａｍｅ）とで構成される。
【００４３】
上記の特別サブフレームで、ＤｗＰＴＳは、端末での初期セル探索、同期化又はチャネル推定に用いられる。ＵｐＰＴＳは、基地局でのチャネル推定と端末の上りリンク送信の同期化に用いられる。すなわち、ＤｗＰＴＳは下りリンク送信に用いられ、ＵｐＰＴＳは上りリンク送信に用いられる。特に、ＵｐＰＴＳはＰＲＡＣＨプリアンブル又はＳＲＳの送信に用いられる。また、保護区間は、上りリンクと下りリンクとの間に下りリンク信号の多重経路遅延によって上りリンクで生じる干渉を除去するための区間である。
【００４４】
一方、ＬＴＥ  ＴＤＤシステムで上りリンク／下りリンクサブフレーム設定（ＵＬ／ＤＬ  ｃｏｎｆｉｇｕｒａｔｉｏｎ）は、下記の表１のとおりである。
【００４５】
【表１】
0006490087.tif 000002
【００４６】
上記の表１で、Ｄは下りリンクサブフレーム、Ｕは上りリンクサブフレームを表し、Ｓは、上記の特別サブフレームを表す。また、上記の表１は、各上りリンク／下りリンクサブフレーム設定において下りリンク−上りリンクスイッチング周期も示している。
【００４７】
表２乃至表４は、表１の上りリンク／下りリンクサブフレーム設定上のＨＡＲＱタイムラインを示す。表２は、特定の上りリンクサブフレームで送信するＨＡＲＱ−ＡＣＫに対応するＰＤＳＣＨの送信サブフレームインデックス集合を示す。例えば、上りリンク／下りリンクサブフレーム設定＃１の場合、サブフレーム＃５及びサブフレーム＃６で受信したＰＤＳＣＨに対するＨＡＲＱ−ＡＣＫをサブフレーム＃２で送信する。
【００４８】
【表２】
0006490087.tif 000003
【００４９】
次に、表３は、特定の上りリンクサブフレームで送信されるＰＵＳＣＨをスケジュールする上りリンクグラントの送信サブフレームインデックスを示している。例えば、上りリンク／下りリンクサブフレーム設定＃１の場合、サブフレーム＃２で送信されるＰＵＳＣＨは、サブフレーム＃６で送信される上りリンクグラントによってスケジュールされる。特に、表３の上りリンク／下りリンクサブフレーム設定＃０は、下りリンクサブフレームの個数が上りリンクサブフレームの個数よりも少ない特殊な場合であり、１つの下りリンクサブフレームで２つの上りリンクサブフレームにおけるＰＵＳＣＨをスケジュールすることができ、いずれのサブフレームにおけるＰＵＳＣＨであるかをＤＣＩ（Ｄｏｗｎｌｉｎｋ  Ｃｏｎｔｒｏｌ  Ｉｎｆｏｒｍａｔｉｏｎ）上の上りリンクインデックスフィールド（ＵＬ  ｉｎｄｅｘ  ｆｉｅｌｄ）で示すことができる。すなわち、この上りリンクインデックスの指示子によって、表３の括弧中のインデックスを使用するか、括弧無しのインデックスを使用するか、又は両方を共に用いて両サブフレームでＰＵＳＣＨをスケジュールするかが決定される。
【００５０】
【表３】
0006490087.tif 000004
【００５１】
最後に、表４は、特定の上りリンクサブフレームでＰＵＳＣＨが送信されたとき、これに対するＰＨＩＣＨが送信されるサブフレームのインデックスを示している。例えば、上りリンク／下りリンクサブフレーム設定＃１の場合、サブフレーム＃２で送信されたＰＵＳＣＨに対するＰＨＩＣＨはサブフレーム＃６で受信することを意味する。
【００５２】
【表４】
0006490087.tif 000005
【００５３】
以下では、搬送波集成（ｃａｒｒｉｅｒ  ａｇｇｒｅｇａｔｉｏｎ）技法について説明する。図７は、搬送波集成（ｃａｒｒｉｅｒ  ａｇｇｒｅｇａｔｉｏｎ）を説明する概念図である。
【００５４】
搬送波集成は、無線通信システムがより広い周波数帯域を使用するために、端末が上りリンクリソース（又はコンポーネント搬送波）及び／又は下りリンクリソース（又はコンポーネント搬送波）で構成された周波数ブロック又は（論理的意味の）セルを複数個使用し、一つの大きな論理周波数帯域として使用する方法を意味する。以下では、説明の便宜のために、コンポーネント搬送波という用語に統一するものとする。
【００５５】
図７を参照すると、全システム帯域（Ｓｙｓｔｅｍ  Ｂａｎｄｗｉｄｔｈ；Ｓｙｓｔｅｍ  ＢＷ）は論理帯域であって、最大１００ＭＨｚの帯域幅を有する。全システム帯域は５個のコンポーネント搬送波を含み、各コンポーネント搬送波は最大２０ＭＨｚの帯域幅を有する。コンポーネント搬送波は、物理的に連続した一つ以上の連続した副搬送波を含む。図７では、各コンポーネント搬送波がいずれも同じ帯域幅を有すると示しているが、これは例示に過ぎず、各コンポーネント搬送波はそれぞれ別個の帯域幅を有してもよい。また、各コンポーネント搬送波は周波数領域で互いに隣接していると示しているが、同図は、論理的な概念で示したものであり、各コンポーネント搬送波は物理的にお互いに隣接していてもよく、離れていてもよい。
【００５６】
中心搬送波（Ｃｅｎｔｅｒ  ｆｒｅｑｕｅｎｃｙ）は、各コンポーネント搬送波に対して別々に用いてもよく、物理的に隣接したコンポーネント搬送波に対して共通した一つの中心搬送波を用いてもよい。一例として、図７で、全コンポーネント搬送波が物理的に隣接していると仮定すれば、中心搬送波Ａを使用することができる。また、各コンポーネント搬送波が物理的に隣接していないと仮定すれば、各コンポーネント搬送波に対して、別個の中心搬送波Ａ、中心搬送波Ｂなどを使用することもできる。
【００５７】
本明細書でコンポーネント搬送波はレガシーシステムのシステム帯域に該当してもよい。コンポーネント搬送波をレガシーシステムを基準に定義することによって、進化した端末とレガシー端末とが共存する無線通信環境で逆支援性（ｂａｃｋｗａｒｄ  ｃｏｍｐａｔｉｂｉｌｉｔｙ）の提供及びシステム設計が容易となる。一例として、ＬＴＥ−Ａシステムが搬送波集成を支援する場合に、各コンポーネント搬送波はＬＴＥシステムのシステム帯域に該当してもよい。この場合、コンポーネント搬送波は、１．２５、２．５、５、１０又は２０ＭＨｚ帯域幅のいずれか一つを有することができる。
【００５８】
搬送波集成によって全システム帯域を拡張した場合に、各端末との通信に用いられる周波数帯域は、コンポーネント搬送波単位で定義される。端末Ａは、全システム帯域である１００ＭＨｚを用いることができ、５個のコンポーネント搬送波を全て用いて通信を行う。端末Ｂ1〜Ｂ5は、２０ＭＨｚ帯域幅だけを用いることができ、１個のコンポーネント搬送波を用いて通信を行う。端末Ｃ1及びＣ2は、４０ＭＨｚ帯域幅を用いることができ、それぞれ２個のコンポーネント搬送波を用いて通信を行う。これら２個のコンポーネント搬送波は、論理／物理的に隣接しても隣接しなくてもよい。端末Ｃ1は、隣接していない２個のコンポーネント搬送波を用いる場合を示し、端末Ｃ2は隣接している２個のコンポーネント搬送波を用いる場合を示す。
【００５９】
ＬＴＥシステムの場合、１個の下りリンクコンポーネント搬送波と１個の上りリンクコンポーネント搬送波を用いるが、ＬＴＥ−Ａシステムの場合、図６に示すように、複数のコンポーネント搬送波を用いることができる。このとき、制御チャネルがデータチャネルをスケジュールする方式は、既存のリンク搬送波スケジューリング（Ｌｉｎｋｅｄ  ｃａｒｒｉｅｒ  ｓｃｈｅｄｕｌｉｎｇ）方式とクロス搬送波スケジューリング（Ｃｒｏｓｓ  ｃａｒｒｉｅｒ  ｓｃｈｅｄｕｌｉｎｇ）方式とに区別できる。
【００６０】
より詳しくは、リンク搬送波スケジューリングは、単一コンポーネント搬送波を用いる既存のＬＴＥシステムのように、特定のコンポーネント搬送波で送信される制御チャネルは、該特定のコンポーネント搬送波で送信されるデータチャネルだけをスケジュールする。
【００６１】
一方、クロス搬送波スケジューリングは、搬送波指示子フィールド（Ｃａｒｒｉｅｒ  Ｉｎｄｉｃａｔｏｒ  Ｆｉｅｌｄ；ＣＩＦ）を用いて、プライマリコンポーネント搬送波（Ｐｒｉｍａｒｙ  ＣＣ）で送信される制御チャネルが、該プライマリコンポーネント搬送波で送信される或いは他のコンポーネント搬送波で送信されるデータチャネルをスケジュールする。
【００６２】
一方、従来のＬＴＥ−Ａシステムでは搬送波集成技法の適用時に、同一のフレーム構造タイプ（すなわち、ＦＤＤ又はＴＤＤのいずれか一つ）、及びＴＤＤセルの集成時にも同一の上りリンク−下りリンクサブフレーム設定が構成された場合だけを考慮した。しかし、最近のＬＴＥ−Ａシステムでは、別個の上りリンク−下りリンクサブフレーム設定が構成された場合又は別個のフレーム構造タイプが適用された場合にも搬送波集成を許容している。ただし、この場合には、各セルで上りリンク−下りリンクサブフレーム設定によって定義されるスケジューリングタイミング、ＡＣＫ／ＮＡＣＫフィードバックタイミング、又は再送信タイミングなどをそのまま用いるがするできない場合が発生しうる。
【００６３】
特に、ＴＤＤ  ＰＣｅｌｌとＦＤＤ  ＳＣｅｌｌが搬送波集成されるとき、ＦＤＤ  ＳＣｅｌｌで送信されるＰＤＳＣＨに対して上りリンクで送信されるＡＣＫ／ＮＡＣＫタイミングに既存のＦＤＤセルに定義されたＨＡＲＱタイミングをそのまま適用してＡＣＫ／ＮＡＣＫをＴＤＤ  ＰＣｅｌｌの上りリンクサブフレームで送信すると、ＡＣＫ／ＮＡＣＫ送信タイミングでＴＤＤ  ＰＣｅｌｌが下りリンクサブフレームと定義されている場合には、ＡＣＫ／ＮＡＣＫを送信することができない。したがって、ＦＤＤ  ＳＣｅｌｌのより多い下りリンクサブフレームに対してＡＣＫ／ＮＡＣＫ送信を提供するために、既存のＦＤＤ  ＳＣｅｌｌに定義されたＨＡＲＱタイミングではなく新しいＨＡＲＱタイミングを適用すればよい。
【００６４】
そのための一つ方法として、ＴＤＤ  ＰＣｅｌｌ及びＦＤＤ  ＳＣｅｌｌの搬送波集成状況で、ＡＣＫ／ＮＡＣＫがＰＣｅｌｌで送信される場合、ＦＤＤ  ＳＣｅｌｌのＨＡＲＱタイミングとして既存のＴＤＤセルで適用可能なＨＡＲＱタイミングの一つを適用することができる。この時にＦＤＤ  ＳＣｅｌｌのためのＨＡＲＱタイミングを適用できる上りリンク−下りリンクサブフレーム設定は、大きく、次の（１）及び（２）のような２つの方式で定めることができる。
【００６５】
（１）ＦＤＤ  ＳＣｅｌｌに対するＨＡＲＱタイミングとして、ＴＤＤ  ＰＣｅｌｌに指定された上りリンク−下りリンクサブフレーム設定において上りリンクサブフレームと定義されたサブフレームの部分集合でのみ上りリンクサブフレームが定義される上りリンク−下りリンクサブフレーム設定のＨＡＲＱタイミングを適用する。
【００６６】
例えば、ＴＤＤ  ＰＣｅｌｌが上りリンク−下りリンクサブフレーム設定＃３である場合には、ＦＤＤ  ＳＣｅｌｌに適用できるＨＡＲＱタイミングとして、上りリンク−下りリンクサブフレーム設定＃３、＃４、＃５となる。すなわち、上りリンク−下りリンクサブフレーム設定＃３で上りリンクサブフレームと定義されたサブフレーム＃２、＃３、＃４以外のサブフレームが上りリンクサブフレームと定義されている上りリンク−下りリンクサブフレーム設定＃０、＃１、＃２、＃６を適用することはできない。これにより、ＡＣＫ／ＮＡＣＫ送信タイミングは、ＰＣｅｌｌが上りリンクサブフレームである場合にのみ定義されるようになる。
【００６７】
（２）ＦＤＤ  ＳＣｅｌｌに対するＨＡＲＱタイミングとして、ＴＤＤ  ＰＣｅｌｌの上りリンク−下りリンクサブフレーム設定にかかわらず、いずれの上りリンク−下りリンクサブフレーム設定で定義されたＨＡＲＱタイミングも適用可能であると定義することもできる。この場合には、実際にＴＤＤ  ＰＣｅｌｌでＵＬと定義されないサブフレームで送信するように定義されたＡＣＫ／ＮＡＣＫフィードバックは実際に送信することはできず、このため、これに対応するＦＤＤ  ＳＣｅｌｌ下りリンクサブフレームでは、ＡＣＫ／ＮＡＣＫフィードバックを要求するＰＤＣＣＨ／ＰＤＳＣＨをスケジュールしないか、又はＨＡＲＱ再送無しで送受信するなどの制約を加えなければならない。
【００６８】
上記のＨＡＲＱタイミング方式（１）又は（２）で、ＴＤＤ  ＰＣｅｌｌの上りリンク−下りリンクサブフレーム設定が＃０である場合に、ＴＤＤ  ＰＣｅｌｌの単独動作ではサブフレーム＃３、＃８は上りリンクサブフレームと定義されるものの、ＡＣＫ／ＮＡＣＫ送信に用いられない。このため、サブフレーム＃３、＃８にはＡＣＫ／ＮＡＣＫ送信のためのリソースが定義されないか、又は、サブフレーム＃３、＃８で送信されるＡＣＫ／ＮＡＣＫ  ＰＵＣＣＨに対しては電力制御命令（ｐｏｗｅｒ  ｃｏｎｔｒｏｌ  ｃｏｍｍａｎｄ）を適用できないという問題がありうる。したがって、上記のＨＡＲＱタイミング方式（１）又は（２）で、ＴＤＤ  ＰＣｅｌｌの上りリンク−下りリンクサブフレーム設定が上りリンク−下りリンクサブフレーム設定＃０である場合、ＦＤＤ  ＳＣｅｌｌに適用するＨＡＲＱタイミングでサブフレーム＃３、＃８がＡＣＫ／ＮＡＣＫフィードバックタイミングとして指定されても、サブフレーム＃３、＃８ではＡＣＫ／ＮＡＣＫフィードバックを送信しないことが好ましい。このとき、端末機は、サブフレーム＃３、＃８でＡＣＫ／ＮＡＣＫフィードバックを受けるように定義される下りリンクサブフレームでは、ＡＣＫ／ＮＡＣＫフィードバックを要求するＤＬ−ＳＣＨを含むＰＤＳＣＨ或いは当該ＰＤＳＣＨをスケジュールするＰＤＣＣＨなどを受信しないか、或いは当該サブフレームでは物理層ＡＣＫ／ＮＡＣＫを伴うＨＡＲＱ動作をしないでＰＤＳＣＨを受信することができる。特に、ＨＡＲＱタイミング方式（１）では、ＴＤＤ  ＰＣｅｌｌの上りリンク−下りリンクサブフレーム設定が上りリンク−下りリンクサブフレーム設定＃０である場合には、ＦＤＤ  ＳＣｅｌｌにＨＡＲＱタイミングの適用が可能な上りリンク−下りリンクサブフレーム設定を、上りリンク−下りリンクサブフレーム設定＃０、＃２，＃５、すなわち、サブフレーム＃３、＃８を通じたＡＣＫ／ＮＡＣＫ送信が指定されない上りリンク−下りリンクサブフレーム設定に制限することができる。
【００６９】
一方、近年、無線通信システムでは、ｅＮＢが全可用リソースを下りリンクリソースと上りリンクリソースとに分割して複信（Ｄｕｐｌｅｘ）動作を行うとき、各リソースの用途を下りリンクリソース又は上りリンクリソースのいずれかとして選択する動作を一層柔軟に変更する技術に関して議論中である。
【００７０】
上記の動的リソース用途変換は、下りリンクトラヒックと上りリンクトラヒックの大きさが動的に変化する状況下で毎時点に最適のリソース分配を行うことができるという長所がある。例えば、ＦＤＤシステムは、周波数帯域を下りリンク帯域と上りリンク帯域とに分割して運営するが、上述の動的リソース用途変換のためにｅＮＢは、ＲＲＣ層、ＭＡＣ層、或いは物理層の信号を用いて、特定時点で特定の周波数帯域が下りリンクリソースであるか又は上りリンクリソースであるかを指定することができる。
【００７１】
特に、ＴＤＤシステムは、全サブフレームを上りリンクサブフレームと下りリンクサブフレームとに分割し、それぞれをＵＥの上りリンク送信又はｅＮＢの下りリンク送信に使用する。このようなリソース分割は、一般に、上述した表１の上りリンク／下りリンクサブフレーム設定に従ってシステム情報の一部として与えることができる。勿論、表１の上りリンク／下りリンクサブフレーム設定の他にも、新しい上りリンク／下りリンクサブフレーム設定がさらに提供されてもよい。ＴＤＤシステムにおいて動的リソース用途変換のためにｅＮＢはＲＲＣ層、ＭＡＣ層或いは物理層信号を用いて、特定時点で特定サブフレームが下りリンクリソースであるか又は上りリンクリソースであるかを指定することができる。特に、このような用途変更メッセージは、再設定メッセージ（Ｒｅｃｏｎｆｉｇｕｒａｔｉｏｎ  Ｍｅｓｓａｇｅ）と呼ぶことができ、事前に定義されたセル（例えば、ＰＣｅｌｌ）上でＲＲＣ層、ＭＡＣ層、或いは物理層信号などでシグナルされてもよい。また、この用途変更メッセージは、端末特定的な（ＵＥ−Ｓｐｅｃｉｆｉｃ）特性、セル特定的な（Ｃｅｌｌ−Ｓｐｅｃｉｆｉｃ）特性、或いは端末グループ特定的な（ＵＥ−Ｇｒｏｕｐ−Ｓｐｅｃｉｆｉｃ）特性（又は、端末グループ共通（ＵＥ−Ｇｒｏｕｐ−Ｃｏｍｍｏｎ）特性）を有することができる。さらに、上記用途変更メッセージは、事前に定義されたセル上でＵＳＳ（ＵＥ−Ｓｐｅｃｉｆｉｃ  Ｓｅａｒｃｈ  Ｓｐａｃｅ）或いはＣＳＳ（Ｃｏｍｍｏｎ  Ｓｅａｒｃｈ  Ｓｐａｃｅ）で送信されてもよい。
【００７２】
既存のＬＴＥシステムで下りリンクリソースと上りリンクリソースはシステム情報によって指定され、このシステム情報は不特定多数のＵＥに送信されるべき情報であるため、動的に変換する場合にはレガシーＵＥの動作に問題が発生しうる。このため、動的リソース用途変換に関する情報は、システム情報ではなく新しいシグナリング、特に、端末特定シグナリングによって、現在ｅＮＢに接続を維持しているＵＥに伝達することが好ましい。この新しいシグナリングは、動的に変化したリソースの構成、例えば、ＴＤＤシステムでシステム情報が示したのとは異なる上りリンク／下りリンクサブフレーム設定情報を示すこともできる。
【００７３】
このような新しいシグナリングにはＨＡＲＱに関連した情報がさらに含まれてもよい。特に、スケジューリングメッセージとこれに相応するＰＤＳＣＨ／ＰＵＳＣＨ送信時点、そして、これに対するＨＡＲＱ−ＡＣＫ送信時点と定義されるＨＡＲＱタイミングが動的に変化する場合、変化時点の間でＨＡＲＱタイミングが連続しない問題を解決するために、動的にリソース構成が変わっても、安定したＨＡＲＱタイミングを維持できるＨＡＲＱタイミング構成情報を含むことができる。ＴＤＤシステムの場合、このＨＡＲＱタイミング構成情報は、下りリンクＨＡＲＱタイミング及び／又は上りリンクＨＡＲＱタイミングを定義する時に参照する上りリンク／下りリンクサブフレーム設定とすることができる。
【００７４】
上述によれば、動的にリソース用途を変化するシステムに接続したＵＥは、リソース構成に関する様々な情報を受信する。特に、ＴＤＤシステムの場合、一つのＵＥは特定の時点で下記の情報を取得することができる。
【００７５】
１）システム情報（ＳＩＢ１（Ｓｙｓｔｅｍ  Ｉｎｆｏｒｍａｔｉｏｎ  Ｂｌｏｃｋ  ｔｙｐｅ  １））で示した上りリンク／下りリンクサブフレーム設定（以下、ＳＩＢ１上りリンク／下りリンクサブフレーム設定）
【００７６】
ただし、ＳＣｅｌｌの場合、システム情報でこのような上りリンク／下りリンクサブフレーム設定が与えられるのではなく、ＲＲＣシグナリングで（具体的に、ＲａｄｉｏＲｅｓｏｕｒｃｅＣｏｎｆｉｇＣｏｍｍｏｎＳＣｅｌｌ  ＩＥで）与えられてもよい。これもまた、説明の便宜のために、ＳＩＢ１上りリンク／下りリンクサブフレーム設定と呼ぶことができる。
【００７７】
２）別途のシグナリングで各サブフレームの用途を示す目的で伝達された上りリンク／下りリンクサブフレーム設定（以下、実際（Ａｃｔｕａｌ）上りリンク／下りリンクサブフレーム設定又は有効（Ｖａｌｉｄ）上りリンク／下りリンクサブフレーム設定）
【００７８】
３）下りリンクＨＡＲＱタイミング、すなわち、特定時点で受信したＰＤＳＣＨに対するＨＡＲＱ−ＡＣＫをいつ送信するかを定義するために伝達された上りリンク／下りリンクサブフレーム設定（以下、下りリンクＨＡＲＱ参照サブフレーム設定）
【００７９】
４）上りリンクＨＡＲＱタイミング、すなわち、特定時点で受信した上りリンクグラントに対するＰＵＳＣＨをいつ送信するか、及び特定時点で送信したＰＵＳＣＨに対するＰＨＩＣＨをいつ受信するかを定義するために伝達された上りリンク／下りリンクサブフレーム設定（以下、上りリンクＨＡＲＱ参照サブフレーム設定）
【００８０】
特定ＵＥが動的にリソース用途を変化するｅＮＢに接続すると、当該ｅＮＢは、システム情報を用いては可能な限り上りリンクサブフレームが多い上りリンク／下りリンクサブフレーム設定を指定するように動作する場合が多い。これは、ＳＩＢ１上りリンク／下りリンクサブフレーム設定上で下りリンクサブフレームと設定されたサブフレームを上りリンクサブフレームに動的に変化するには制約がありうるためである。例えば、レガシーＵＥはＳＩＢ１上りリンク／下りリンクサブフレーム設定で下りリンクサブフレームと示されたサブフレームで常にＣＲＳの送信を期待して測定しているため、これを動的に上りリンクサブフレームに変換する場合、レガシーＵＥのＣＲＳ測定に大きな誤りが発生しうるためである。したがって、ｅＮＢは、ＳＩＢ１上りリンク／下りリンクサブフレーム設定上では上りリンクサブフレームを多く設定するが、下りリンクトラフィックが増加すると、実際上りリンク／下りリンクサブフレーム設定では上りリンクサブフレームの一部を下りリンクサブフレームに動的に変化して運営することが好ましい。
【００８１】
このような原理によって動作するＴＤＤシステムにおいて、ＵＥには、特定時点でＳＩＢ１上りリンク／下りリンクサブフレーム設定として上りリンク／下りリンクサブフレーム設定＃０が指示されるが、実際上りリンク／下りリンクサブフレーム設定としては上りリンク／下りリンクサブフレーム設定＃１が指示されてもよい。
【００８２】
また、下りリンクＨＡＲＱタイミングの基準である、下りリンクＨＡＲＱ参照サブフレーム設定は、上りリンク／下りリンクサブフレーム設定＃２になってもよい。これは、上りリンクサブフレームが少なくて下りリンクサブフレームが多い上りリンク／下りリンクサブフレーム設定を下りリンクＨＡＲＱタイミングの基準にし、下りリンクサブフレームが最大となってＨＡＲＱ−ＡＣＫを最も送信し難い状況を作り、これに合わせて下りリンクＨＡＲＱタイミングを運営すると、動的に上りリンク／下りリンクサブフレーム設定を変換してもＨＡＲＱタイミングは持続できるためである。同様の原理で、上りリンクＨＡＲＱタイミングの基準である上りリンクＨＡＲＱ参照サブフレーム設定は上りリンク／下りリンクサブフレーム設定＃０のように上りリンクサブフレームが多い上りリンク／下りリンクサブフレーム設定になってもよい。
【００８３】
次に、現在３ＧＰＰ標準文書で定義しているＣＳＩ、特に、ＣＱＩ算出方法に関して説明する。一般に、ＵＥは、ｅＮＢから送信されたＲＳ（Ｒｅｆｅｒｅｎｃｅ  Ｓｉｇｎａｌ）、特に、ＣＳＩ−ＲＳを用いてチャネル状態を把握し、ＣＱＩ計算のために定義された所定の条件を仮定した状況でＢＬＥＲ（Ｂｌｏｃｋ  Ｅｒｒｏｒ  Ｒａｔｅ）が１０％を超えないＭＣＳ（Ｍｏｄｕｌａｔｉｏｎ  ａｎｄ  Ｃｏｄｉｎｇ  Ｓｃｈｅｍｅ）に対応するＣＱＩインデックスを下記の表５から選択してｅＮＢに報告する過程を経る。
【００８４】
【表５】
0006490087.tif 000006
【００８５】
ＣＱＩ算出過程についてより詳しく説明する。
【００８６】
まず、端末は基地局から参照信号を受信し、これを用いて既に定義されたＰＭＩ（Ｐｒｅｃｏｄｉｎｇ  Ｍａｔｒｉｘ  Ｉｎｄｅｘ）コードブックに基づく各ランクに対する最善のＰＭＩを選択し、該選択された最善のＰＭＩによってレイヤ別ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を計算する。また、レイヤ別ＳＩＮＲ及びコードワード対レイヤマッピング規則に基づいて、コードワード別ＳＩＮＲを計算する。
【００８７】
次に、上記それぞれのコードワード別ＳＩＮＲにおいてＢＬＥＲ（Ｂｌｏｃｋ  Ｅｒｒｏｒ  Ｒａｔｅ）１０％を満たす周波数効率（ｓｐｅｃｔｒａｌ  ｅｆｆｉｃｉｅｎｃｙ；ＳＥ）を算出し、ＰＤＳＣＨにおける可用のリソース要素の個数であるＮRE及びＳＥを用いて、コードワード別スループット（ｔｈｒｏｕｇｈｐｕｔ）を算出する。
【００８８】
また、上記コードワード別スループットに基づいて各ランク別スループット合計を計算し、これらのうちの最大のスループットとそれに対応するランクを選択する。すなわち、ＲＩを決定する。また、上記の表５のＣＱＩテーブルで上記ＳＥにＰＤＳＣＨのＮREを乗じた値と上記最大のスループットとを比較し、最も類似するＣＱＩインデックスを基地局に報告する。
【００８９】
一方、ＬＴＥシステムでは、次の表６のようなＣＱＩ測定のための参照リソース（Ｒｅｆｅｒｅｎｃｅ  Ｒｅｓｏｕｒｃｅ）に対する仮定を定義しており、特に、仮定中には上記のＣＱＩ計算過程に必要なＰＤＳＣＨのＮREに対する仮定が含まれる。ここでいう参照リソースとは、該当のＣＱＩが適用されるものと仮定するリソース領域を意味し、端末は基地局から一つ以上の参照信号を受信し、該参照信号に基づいてＣＱＩを測定するが、ＣＱＩに対応するＰＤＳＣＨが下記の表６のような仮定下に送信されると仮定する。ただし、該当の参照リソースはＣＳＩ測定のための有効な下りリンクサブフレームであることが要求され、ＬＴＥシステムでは、下記の表７のようにチャネル状態情報（ＣＳＩ；Ｃｈａｎｎｅｌ  Ｓｔａｔｕｓ  Ｉｎｆｏｒｍａｔｉｏｎ）の測定に用いられる有効サブフレーム（Ｖａｌｉｄ  ＣＳＩ  Ｍｅａｓｕｒｅｍｅｎｔ  Ｓｕｂｆｒａｍｅ）を定義している。
【００９０】
【表６】
0006490087.tif 000007
【００９１】
【表７】
0006490087.tif 000008
【００９２】
例えば、表６の最初の仮定は、ＣＱＩを計算するとき、一つのサブフレーム内の先頭の３個のＯＦＤＭシンボルではＰＤＳＣＨが送信されないと仮定することを意味する。これは、ＰＤＣＣＨがサブフレーム別に変動しうることから、該当のＣＱＩが適用されるサブフレームのＰＤＣＣＨシンボルの個数を把握できない端末が、ＰＤＣＣＨ送信が可能な最大のシンボルの個数を仮定してＣＱＩを計算することを意味する。
【００９３】
このように計算されたＣＱＩを受信した基地局は、当該ＣＱＩに対応する下りリンク送信において実際に適用される設定（例えば、当該ＣＱＩが適用されるサブフレームのＰＤＣＣＨシンボルの個数）に適合するように別の補償値を追加し、下りリンク送信ブロックサイズなどを決定することができる。
【００９４】
本発明は、搬送波集成技法（Ｃａｒｒｉｅｒ  Ａｇｇｒｅｇａｔｉｏｎ（ＣＡ））が適用された状況下で、特定のセル上の無線リソースの用途が負荷状態によって動的に変更（以下、このようなセルをｅＩＭＴＡセルという。）される場合に、チャネル状態情報（ＣＳＩ；Ｃｈａｎｎｅｌ  Ｓｔａｔｕｓ  Ｉｎｆｏｒｍａｔｉｏｎ）の測定に用いられる有効サブフレーム（Ｖａｌｉｄ  ＣＳＩ  Ｍｅａｓｕｒｅｍｅｎｔ  Ｓｕｂｆｒａｍｅ）を効率的に定義する方法を提案する。
【００９５】
端末が無線リソース用途の動的変更が適用されるセル（すなわち、ｅＩＭＴＡセル）関連の用途変更メッセージ（Ｒｅｃｏｎｆｉｇｕｒａｔｉｏｎ  Ｍｅｓｓａｇｅ）の受信に成功しなかった場合には、当該セル上でＳＩＢ１上りリンク／下りリンクサブフレーム設定に基づいて、チャネル測定（ＣＳＩ  Ｍｅａｓｕｒｅｍｅｎｔ）動作及び／又は下りリンク制御チャネル（ＰＤＣＣＨ）モニタリング動作及び／又は下りリンクデータチャネル（ＰＤＳＣＨ）受信動作及び／又は上りリンクデータチャネル（ＰＵＳＣＨ）送信動作などを行うように、下記の表８のように規則を定義することができる。
【００９６】
【表８】
0006490087.tif 000009
0006490087.tif 000010
【００９７】
端末のこのような動作をフォールバック動作（Ｆａｌｌｂａｃｋ  Ｏｐｅｒａｔｉｏｎ）或いはフォールバックモード（Ｆａｌｌｂａｃｋ  Ｍｏｄｅ）と呼ぶことができる。これによって、用途変更メッセージの受信に成功しなかった端末の誤動作（例えば、制御チャネル検出誤り（Ｆａｌｓｅ  Ｄｅｔｅｃｔｉｏｎ）による誤った上りリンクデータチャネル（ＰＵＳＣＨ）／上りリンク制御チャネル（ＰＵＣＣＨ）の送信）から発生する干渉が、他の端末と基地局間の通信或いはレガシー（Ｌｅｇａｃｙ）端末と基地局間の通信に及ぼす影響を最小化したり、或いは用途変更メッセージの受信に成功しなかった端末の下りリンクＨＡＲＱバッファー運営上の誤りを最小化することができる。
【００９８】
また、現在の３ＧＰＰ標準文書では、上記の表７のように、それぞれ別個の上りリンク／下りリンクサブフレーム設定を有するセルが搬送波集成技法で用いられ、端末が該当のセル上で同時送／受信（Ｓｉｍｕｌｔａｎｅｏｕｓ  Ｒｅｃｅｐｔｉｏｎ（ＲＸ）  ａｎｄ  Ｔｒａｎｓｍｉｓｓｉｏｎ（ＴＸ））動作を行うことができないとき、所定の制限（Ｃｏｎｓｔｒａｉｎｔ）事項に基づいて上りリンク／下りリンクシグナルの送／受信動作を行うように、そして、チャネル状態情報の測定に用いられる有効なサブフレーム判断を行うように定義されている。
【００９９】
特に、チャネル状態情報の測定に用いられる有効なサブフレーム判断時に、それぞれ別個の上りリンク／下りリンクサブフレーム設定を有するセルが搬送波集成技法で用いられ、端末が該当のセル上で同時送／受信動作を行うことができない場合、ＳＣｅｌｌで有効サブフレームは、ＰＣｅｌｌで該当のサブフレームが下りリンクサブフレーム又は
【数１】
0006490087.tif 000011
以上のサイズを有するＤｗＰＴＳであるべきと定義している。
【０１００】
以下では説明の便宜のために２つのセルが搬送波集成技法で用いられる状況を仮定するが、３つ以上のセルが搬送波集成技法で用いられる状況でも拡張して適用可能であることは自明である。
【０１０１】
＜第１実施例＞
【０１０２】
本発明の第１実施例では、ＴＤＤ  ＰＣｅｌｌとＦＤＤ  ＳＣｅｌｌ（すなわち、ＦＤＤ  ＵＬ  ＣＣ及びＦＤＤ  ＤＬ  ＣＣ）が搬送波集成技法で用いられる場合を仮定して、ＦＤＤ  ＳＣｅｌｌ上の有効ＣＳＩ測定サブフレームを定義する。ここで、下記の提案規則は、ＴＤＤ  ＰＣｅｌｌ関連帯域とＦＤＤ  ＤＬ  ＣＣ関連帯域とが隣接した場合及び／又はＴＤＤ  ＰＣｅｌｌ関連帯域とＦＤＤ  ＵＬ  ＣＣ関連帯域とが閾値以下で隣接した場合にのみ限定的に適用されてもよい。このような場合には、ＦＤＤ  ＳＣｅｌｌのＤＬ  ＣＣでの下りリンク信号とＴＤＤ  ＰＣｅｌｌでの上りリンク信号が相互干渉を及ぼし、またＦＤＤ  ＳＣｅｌｌのＵＬ  ＣＣでの上りリンク信号とＴＤＤ  ＰＣｅｌｌでの下りリンク信号が相互干渉を及ぼしうるためである。つまり、搬送波集成技法で用いられ、端末が該当のセル上で同時送／受信（Ｓｉｍｕｌｔａｎｅｏｕｓ  Ｒｅｃｅｐｔｉｏｎ（ＲＸ）  ａｎｄ  Ｔｒａｎｓｍｉｓｓｉｏｎ（ＴＸ））動作を行うことができない場合と同じ場合と見なすことができる。
【０１０３】
１）まず、ＴＤＤ  ｅＩＭＴＡ  ＰＣｅｌｌとＦＤＤ  ＳＣｅｌｌが搬送波集成技法で用いられる場合を仮定する。
【０１０４】
一例として、仮にＴＤＤ  ｅＩＭＴＡ  ＰＣｅｌｌが非−フォールバックモードで（すなわち、実際上りリンク−下りリンクサブフレーム設定或いは有効上りリンク−下りリンクサブフレーム設定が適用されて）運営される場合に、ＴＤＤ  ｅＩＭＴＡ  ＰＣｅｌｌの実際上りリンク−下りリンクサブフレーム設定（及び／又は下りリンクＨＡＲＱ参照サブフレーム設定及び／又は上りリンクＨＡＲＱ参照サブフレーム設定及び／又はＳＩＢ１上りリンク／下りリンクサブフレーム設定及び／又は上りリンク参照ＨＡＲＱタイムライン及び／又は下りリンク参照ＨＡＲＱタイムライン）上の下りリンクサブフレーム位置及び／又は特別サブフレーム位置と一致する、ＦＤＤ  ＳＣｅｌｌの（すなわち、ＦＤＤ  ＤＬ  ＣＣ上の）サブフレームだけを有効ＣＳＩ測定サブフレームとして定義することができる。又は、ＴＤＤ  ｅＩＭＴＡ  ＰＣｅｌｌ関連上りリンク／下りリンクサブフレーム設定とは独立して、ＦＤＤ  ＳＣｅｌｌのために定義される上りリンク参照ＨＡＲＱタイムライン（ＵＬ  Ｒｅｆｅｒｅｎｃｅ  ＨＡＲＱ  Ｔｉｍｅｌｉｎｅ）及び／又は下りリンク参照ＨＡＲＱタイムライン（ＤＬ  Ｒｅｆｅｒｅｎｃｅ  ＨＡＲＱ  Ｔｉｍｅｌｉｎｅ）上の（ＦＤＤ  ＤＬ  ＣＣ上の）サブフレームだけを有効ＣＳＩ測定サブフレームとして定義することができる。
【０１０５】
他の例として、ＴＤＤ  ｅＩＭＴＡ  ＰＣｅｌｌがフォールバックモードで（すなわち、ＳＩＢ１上りリンク／下りリンクサブフレーム設定が適用されて）運営される場合には、ＴＤＤ  ｅＩＭＴＡ  ＰＣｅｌｌのＳＩＢ１上りリンク／下りリンクサブフレーム設定（及び／又は下りリンクＨＡＲＱ参照サブフレーム設定及び／又は上りリンクＨＡＲＱ参照サブフレーム設定及び／又は上りリンク参照ＨＡＲＱタイムライン及び／又は下りリンク参照ＨＡＲＱタイムライン）上の下りリンクサブフレーム位置及び／又は特別サブフレーム位置と一致する、ＦＤＤ  ＳＣｅｌｌの（ＦＤＤ  ＤＬ  ＣＣ上の）サブフレームだけを有効ＣＳＩ測定サブフレームとして定義することができる。又は、ＴＤＤ  ｅＩＭＴＡ  ＰＣｅｌｌ関連上りリンク／下りリンクサブフレーム設定とは独立して、ＦＤＤ  ＳＣｅｌｌのために定義される上りリンク参照ＨＡＲＱタイムライン及び／又は下りリンク参照ＨＡＲＱタイムラインの（ＦＤＤ  ＤＬ  ＣＣ上の）サブフレームだけを有効ＣＳＩ測定サブフレームとして定義することができる。
【０１０６】
又は、ＦＤＤ  ＤＬ  ＣＣ関連特定時点のＣＳＩ報告と連動している有効ＣＳＩ測定サブフレームの位置が、ＴＤＤ  ｅＩＭＴＡ  ＰＣｅｌｌがフォールバックモードで動作する領域と重なる場合に、該当のＣＳＩ報告を省略したり、或いは事前に定義された特定値（例えば、ランク１を示すＲＩ又はＰＭＩ又はＰＴＩ又はＣＱＩ（例えば、ＯＯＲ（Ｏｕｔ  ｏｆ  Ｒａｎｇｅ）値））でＣＳＩ報告を行うようにすることができる。或いは、最も最近にＴＤＤ  ｅＩＭＴＡ  ＰＣｅｌｌが非−フォールバックモードで動作する領域と重なる領域の有効ＣＳＩ測定サブフレームに基づいて既に報告されたＣＳＩ値で該当のＣＳＩ報告を再び行うこともできる。
【０１０７】
２）次に、ＴＤＤ  Ｎｏｎ−ｅＩＭＴＡ  ＰＣｅｌｌとＦＤＤ  ＳＣｅｌｌが搬送波集成技法で用いられる場合を仮定する。
【０１０８】
この場合、ＴＤＤ  Ｎｏｎ−ｅＩＭＴＡ  ＰＣｅｌｌのＳＩＢ１上りリンク／下りリンクサブフレーム設定（及び／又は上りリンク参照ＨＡＲＱタイムライン及び／又は下りリンク参照ＨＡＲＱタイムライン）上の下りリンクサブフレーム位置及び／又は特別サブフレーム位置と一致するＦＤＤ  ＳＣｅｌｌの（すなわち、ＦＤＤ  ＤＬ  ＣＣ上の）サブフレームだけを有効ＣＳＩ測定サブフレームとして定義することができる。又は、ＴＤＤ  Ｎｏｎ−ｅＩＭＴＡ  ＰＣｅｌｌ関連上りリンク／下りリンクサブフレーム設定とは独立して、ＦＤＤ  ＳＣｅｌｌのために定義される上りリンク参照ＨＡＲＱタイムライン及び／又は下りリンク参照ＨＡＲＱタイムラインの（ＦＤＤ  ＤＬ  ＣＣ上の）サブフレームだけを有効ＣＳＩ測定サブフレームとして定義することができる。
【０１０９】
３）ＦＤＤ  ＤＬ  ＣＣ（すなわち、ＦＤＤ  ＳＣｅｌｌ）関連特定時点のＣＳＩ報告と連動している有効ＣＳＩ測定サブフレーム候補は、事前に設定された（或いは事前にシグナルされた）区間（Ｗｉｎｄｏｗ  ｏｆ  Ｖａｌｉｄ  ＣＳＩ  Ｒｅｆｅｒｅｎｃｅ  Ｒｅｓｏｕｒｃｅ）内でのみ存在すると仮定することができる。ここで、上記事前に設定された区間内で特定時点のＣＳＩ報告と連動している有効ＣＳＩ測定サブフレーム候補は、上述した方式の一つで定義することができる。
【０１１０】
また、上記事前に設定された区間内で特定時点のＣＳＩ報告と連動している有効ＣＳＩ測定サブフレーム候補が存在しない場合には、該当のＣＳＩ報告を省略したり、或いは事前に定義された特定値で該当のＣＳＩ報告を行うことができる。或いは、最も最近に事前に設定された（或いは事前にシグナルされた）区間内で存在する有効ＣＳＩ測定サブフレームに基づいて既に報告されたＣＳＩ値で該当のＣＳＩ報告を再び行うこともできる。
【０１１１】
図８は、本発明の実施例に係るＣＳＩの報告方法を示すフローチャートである。特に、図８は、ＴＤＤ  ＰＣｅｌｌとＦＤＤ  ＳＣｅｌｌセルが集成された場合を仮定する。
【０１１２】
図８を参照すると、段階８０１で、端末は、上記ＦＤＤ  ＳＣｅｌｌでの有効サブフレームを設定する。より詳しくは、ＴＤＤ  ＰＣｅｌｌの特定上りリンク／下りリンクサブフレーム設定上の下りリンクサブフレームの位置又は既に設定された長さ以上の下りリンクリソースを含む特別サブフレームの位置と一致する上記ＦＤＤ  ＳＣｅｌｌでのサブフレームを、上記ＣＳＩ測定のための有効サブフレームに設定する。好ましくは、ＴＤＤ  ＰＣｅｌｌがｅＩＭＴＡセルであるか否か及びフォールバックモードで動作するか否かに関わらず、特定上りリンク／下りリンクサブフレーム設定はＳＩＢ１上りリンク／下りリンクサブフレーム設定であってもよい。これは、ＳＩＢ１上りリンク／下りリンクサブフレーム設定で示す下りリンクサブフレームの個数が他の上りリンク／下りリンクサブフレーム設定（例えば、実際上りリンク／下りリンクサブフレーム設定又は下りリンクＨＡＲＱサブフレーム設定など）に比べて最小値であるためである。
【０１１３】
次に、段階８０３で、上記端末は、上記有効サブフレームのうち少なくとも一つで上記ＣＳＩを測定し、段階８０５で、上記測定されたＣＳＩをネットワークに報告する。
【０１１４】
＜第２実施例＞
【０１１５】
本発明の第２実施例では、ＦＤＤ  ＰＣｅｌｌ（すなわち、ＦＤＤ  ＵＬ  ＣＣ、ＦＤＤ  ＤＬ  ＣＣ）とＴＤＤ  ＳＣｅｌｌが搬送波集成技法で用いられる場合を仮定して、ＴＤＤ  ＳＣｅｌｌ上の有効ＣＳＩ測定サブフレームを定義する。ここで、下記の提案規則は、ＦＤＤ  ＤＬ  ＣＣ関連帯域（Ｂａｎｄ）とＴＤＤ  ＳＣｅｌｌ関連帯域とが閾値以下で隣接した場合にのみ限定的に適用されてもよい。このような場合には、ＦＤＤ  ＰＣｅｌｌのＤＬ  ＣＣでの下りリンク信号とＴＤＤ  ＳＣｅｌｌでの上りリンク信号が相互干渉を及ぼしうるためであり、集成されたセル上で同時送／受信動作を行うことのできない場合と同じ場合と見なすとができる。
【０１１６】
１）まず、ＦＤＤ  ＰＣｅｌｌとＴＤＤ  ｅＩＭＴＡ  ＳＣｅｌｌが搬送波集成技法で用いられる場合を仮定する。
【０１１７】
一例として、仮にＴＤＤ  ｅＩＭＴＡ  ＳＣｅｌｌが非−フォールバックモードで（すなわち、実際上りリンク−下りリンクサブフレーム設定或いは有効上りリンク−下りリンクサブフレーム設定が適用されて）運営される場合には、ＴＤＤ  ｅＩＭＴＡ  ＳＣｅｌｌの実際上りリンク−下りリンクサブフレーム設定（及び／又は下りリンクＨＡＲＱ参照サブフレーム設定及び／又は上りリンクＨＡＲＱ参照サブフレーム設定及び／又はＳＩＢ１上りリンク／下りリンクサブフレーム設定及び／又は上りリンク参照ＨＡＲＱタイムライン及び／又は下りリンク参照ＨＡＲＱタイムライン）上の下りリンクサブフレーム及び／又は特別サブフレームだけを有効ＣＳＩ測定サブフレームとして定義することができる。
【０１１８】
他の例として、仮にＴＤＤ  ｅＩＭＴＡ  ＳＣｅｌｌがフォールバックモードで（すなわち、ＳＩＢ１上りリンク／下りリンクサブフレーム設定が適用されて）運営される場合には、ＴＤＤ  ｅＩＭＴＡ  ＳＣｅｌｌのＳＩＢ１上りリンク／下りリンクサブフレーム設定（及び／又は下りリンクＨＡＲＱ参照サブフレーム設定及び／又は上りリンクＨＡＲＱ参照サブフレーム設定及び／又は上りリンク参照ＨＡＲＱタイムライン及び／又は下りリンク参照ＨＡＲＱタイムライン）上の下りリンクサブフレーム及び／又は特別サブフレームだけを有効ＣＳＩ測定サブフレームとして定義することができる。又は、ＴＤＤ  ｅＩＭＴＡ  ＳＣｅｌｌ関連特定時点のＣＳＩ報告と連動している有効ＣＳＩ測定サブフレームの位置が、ＴＤＤ  ｅＩＭＴＡ  ＳＣｅｌｌがフォールバックモードで動作する領域と重なる場合、該当のＣＳＩ報告を省略したり、或いは事前に定義された特定値で該当のＣＳＩ報告を行うことができる。或いは、最も最近にＴＤＤ  ｅＩＭＴＡ  ＳＣｅｌｌが非−フォールバックモードで動作する領域と重なる領域の有効ＣＳＩ測定サブフレームに基づいて既に報告された（ＴＤＤ  ｅＩＭＴＡ  ＳＣｅｌｌ関連）ＣＳＩ値で該当のＣＳＩ報告を再び行うこともできる。
【０１１９】
２）次に、ＦＤＤ  ＰＣｅｌｌとＴＤＤ  Ｎｏｎ−ｅＩＭＴＡ  ＳＣｅｌｌが搬送波集成技法で用いられる場合には、ＴＤＤ  Ｎｏｎ−ｅＩＭＴＡ  ＳＣｅｌｌのＳＩＢ１上りリンク／下りリンクサブフレーム設定（及び／又は上りリンク参照ＨＡＲＱタイムライン及び／又は下りリンク参照ＨＡＲＱタイムライン）上の下りリンクサブフレーム及び／又は特別サブフレームだけを有効ＣＳＩ測定サブフレームとして定義することができる。
【０１２０】
３）ＴＤＤ（ｅＩＭＴＡ／Ｎｏｎ−ｅＩＭＴＡ）ＳＣｅｌｌ関連特定時点のＣＳＩ報告と連動している有効ＣＳＩ測定サブフレーム候補は、事前に設定された（或いは事前にシグナルされた）区間内でのみ存在すると仮定することができる。ここで、上記事前に設定された区間内で特定時点のＣＳＩ報告と連動している有効ＣＳＩ測定サブフレーム候補は、上述した方式の一つで定義することができる。
【０１２１】
また、上記事前に設定された区間内で特定時点のＣＳＩ報告と連動している有効ＣＳＩ測定サブフレーム候補が存在しない場合には、該当のＣＳＩ報告を省略したり、或いは事前に定義された特定値で該当のＣＳＩ報告を行うことができる。或いは、最も最近に事前に設定された（或いは事前にシグナルされた）区間内で存在する有効ＣＳＩ測定サブフレームに基づいて既に報告されたＣＳＩ値で該当のＣＳＩ報告を再び行うこともできる。
【０１２２】
＜第３実施例＞
【０１２３】
本発明の第３実施例では、ＦＤＤ  ＰＣｅｌｌ（すなわち、ＦＤＤ  ＵＬ  ＣＣ、ＦＤＤ  ＤＬ  ＣＣ）とＴＤＤ  ＳＣｅｌｌが搬送波集成技法で用いられる場合を仮定して、ＴＤＤ  ＳＣｅｌｌ上の有効ＣＳＩ測定サブフレームを定義する。第２実施例との差異点は、ここではＦＤＤ  ＵＬ  ＣＣ関連帯域とＴＤＤ  ＳＣｅｌｌ関連帯域とが閾値以下で隣接した場合にのみ限定的に適用されるということである。このような場合には、ＦＤＤ  ＰＣｅｌｌのＵＬ  ＣＣでの上りリンク信号とＴＤＤ  ＳＣｅｌｌでの下りリンク信号が相互干渉を及ぼしうるためであり、集成されたセル上で同時送／受信動作を行うことのできない場合と同じ場合と見なすことができる。
【０１２４】
１）まず、ＦＤＤ  ＰＣｅｌｌとＴＤＤ  ｅＩＭＴＡ  ＳＣｅｌｌが搬送波集成技法で用いられる場合を考慮する。
【０１２５】
仮にＴＤＤ  ｅＩＭＴＡ  ＳＣｅｌｌ上の一部下りリンクサブフレーム及び／又は特別サブフレームが、事前に定義された規則或いは物理層シグナリング或いは上位層シグナリングによってＴＤＤ  ｅＩＭＴＡ  ＳＣｅｌｌ上の下りリンク通信のために用いられるように設定され（以下、説明の便宜のために、このようなサブフレーム集合をＡｖａｉｌａｂｌｅ＿ＳＣｅｌｌＳＦ＿Ｓｅｔという。）、ＴＤＤ  ｅＩＭＴＡ  ＳＣｅｌｌが非−フォールバックモードで（すなわち、実際上りリンク−下りリンクサブフレーム設定或いは有効上りリンク−下りリンクサブフレーム設定が適用されて）運営される場合には、ＴＤＤ  ｅＩＭＴＡ  ＳＣｅｌｌの実際上りリンク−下りリンクサブフレーム設定（及び／又は下りリンクＨＡＲＱ参照サブフレーム設定及び／又は上りリンクＨＡＲＱ参照サブフレーム設定及び／又はＳＩＢ１上りリンク／下りリンクサブフレーム設定及び／又は上りリンク参照ＨＡＲＱタイムライン及び／又は下りリンク参照ＨＡＲＱタイムライン）上の下りリンクサブフレーム及び／又は特別サブフレームのうち、Ａｖａｉｌａｂｌｅ＿ＳＣｅｌｌＳＦ＿Ｓｅｔに属するサブフレームだけを有効ＣＳＩ測定サブフレームとして定義することができる。
【０１２６】
また、ＴＤＤ  ｅＩＭＴＡ  ＳＣｅｌｌ上の一部下りリンクサブフレーム及び／又は特別サブフレームが、事前に定義された規則或いはシグナリングによってＴＤＤ  ｅＩＭＴＡ  ＳＣｅｌｌ上の下りリンク通信のために用いられるように設定（すなわち、Ａｖａｉｌａｂｌｅ＿ＳＣｅｌｌＳＦ＿Ｓｅｔ）され、ＴＤＤ  ｅＩＭＴＡ  ＳＣｅｌｌがフォールバックモードで（すなわち、ＳＩＢ１上りリンク／下りリンクサブフレーム設定が適用されて）運営される場合には、ＴＤＤ  ｅＩＭＴＡ  ＳＣｅｌｌのＳＩＢ１上りリンク／下りリンクサブフレーム設定（及び／又は下りリンクＨＡＲＱ参照サブフレーム設定及び／又は上りリンクＨＡＲＱ参照サブフレーム設定及び／又は上りリンク参照ＨＡＲＱタイムライン及び／又は下りリンク参照ＨＡＲＱタイムライン）上の下りリンクサブフレーム及び／又は特別サブフレームのうち、Ａｖａｉｌａｂｌｅ＿ＳＣｅｌｌＳＦ＿Ｓｅｔに属するサブフレームだけを有効ＣＳＩ測定サブフレームとして定義することができる。
【０１２７】
さらに、ＴＤＤ  ｅＩＭＴＡ  ＳＣｅｌｌ関連特定時点のＣＳＩ報告と連動している有効ＣＳＩ測定サブフレームの位置が、ＴＤＤ  ｅＩＭＴＡ  ＳＣｅｌｌがフォールバックモードで動作する領域と重なる場合には、該当のＣＳＩ報告を省略したり、或いは事前に定義された特定値で該当のＣＳＩ報告を行うことができる。或いは、最も最近にＴＤＤ  ｅＩＭＴＡ  ＳＣｅｌｌが非−フォールバックモードで動作する領域と重なる領域の有効ＣＳＩ測定サブフレームに基づいて既に報告された値で該当のＣＳＩ報告を再び行うこともできる。
【０１２８】
２）次に、ＦＤＤ  ＰＣｅｌｌとＴＤＤ  Ｎｏｎ−ｅＩＭＴＡ  ＳＣｅｌｌが搬送波集成技法で用いられる場合には、ＴＤＤ  Ｎｏｎ−ｅＩＭＴＡ  ＳＣｅｌｌのＳＩＢ１上りリンク／下りリンクサブフレーム設定（及び／又は上りリンク参照ＨＡＲＱタイムライン及び／又は下りリンク参照ＨＡＲＱタイムライン）上の下りリンクサブフレーム及び／又は特別サブフレームのうち、Ａｖａｉｌａｂｌｅ＿ＳＣｅｌｌＳＦ＿Ｓｅｔに属するサブフレームだけを有効ＣＳＩ測定サブフレームとして定義することができる。
【０１２９】
３）また、ＴＤＤ（ｅＩＭＴＡ／Ｎｏｎ−ｅＩＭＴＡ）ＳＣｅｌｌ関連特定時点のＣＳＩ報告と連動している有効ＣＳＩ測定サブフレーム候補は、事前に設定された（或いは事前にシグナルされた）区間内でのみ存在すると仮定することができる。ここで、上記事前に設定された区間内で特定時点のＣＳＩ報告と連動している有効ＣＳＩ測定サブフレーム候補は、上述した方式の一つで定義することができる。
【０１３０】
一例として、上記事前に設定された区間内で特定時点のＣＳＩ報告と連動している有効ＣＳＩ測定サブフレーム候補が存在しない場合には、該当のＣＳＩ報告を省略したり、或いは事前に定義された特定値で該当のＣＳＩ報告を行うことができる。或いは、最も最近に事前に設定された（或いは事前にシグナルされた）区間内で存在する有効ＣＳＩ測定サブフレームに基づいて既に報告されたＣＳＩ値で該当のＣＳＩ報告を再び行うこともできる。
【０１３１】
＜第４実施例＞
【０１３２】
本発明の第４実施例では、別個のＴＤＤ上りリンク−下りリンクサブフレーム設定を有するＴＤＤ  ＰＣｅｌｌとＴＤＤ  ＳＣｅｌｌが搬送波集成技法で用いられる場合を仮定して、ＴＤＤ  ＳＣｅｌｌ上の有効ＣＳＩ測定サブフレームを定義する。上述したように、ＴＤＤ  ＰＣｅｌｌのデフォルト上りリンク／下りリンクサブフレーム設定は、ＳＩＢ１で与え、ＴＤＤ  ＳＣｅｌｌのデフォルト上りリンク／下りリンクサブフレーム設定は、ＲａｄｉｏＲｅｓｏｕｒｃｅＣｏｎｆｉｇＣｏｍｍｏｎＳＣｅｌｌ  ＩＥで与えることができる。
【０１３３】
Ａ）まず、ＴＤＤ  Ｎｏｎ−ｅＩＭＴＡ  ＰＣｅｌｌとＴＤＤ  ｅＩＭＴＡ  ＳＣｅｌｌとが併合された場合を考慮する。
【０１３４】
i）仮にＴＤＤ  ｅＩＭＴＡ  ＳＣｅｌｌが非−フォールバックモードで（すなわち、実際上りリンク−下りリンクサブフレーム設定或いは有効上りリンク−下りリンクサブフレーム設定が適用されて）運営される場合には、ＴＤＤ  Ｎｏｎ−ｅＩＭＴＡ  ＰＣｅｌｌのＳＩＢ１上りリンク／下りリンクサブフレーム設定（及び／又は上りリンク参照ＨＡＲＱタイムライン及び／又は下りリンク参照ＨＡＲＱタイムライン）上の下りリンクサブフレーム位置及び／又は特別サブフレーム位置と一致すると共に、ＴＤＤ  ｅＩＭＴＡ  ＳＣｅｌｌの実際上りリンク−下りリンクサブフレーム設定（及び／又は下りリンクＨＡＲＱ参照サブフレーム設定及び／又は上りリンクＨＡＲＱ参照サブフレーム設定及び／又はＳＩＢ１上りリンク／下りリンクサブフレーム設定及び／又は上りリンク参照ＨＡＲＱタイムライン及び／又は下りリンク参照ＨＡＲＱタイムライン）上で下りリンクサブフレーム及び／又は特別サブフレームとして用いられるサブフレームだけを有効ＣＳＩ測定サブフレームと定義することができる。
【０１３５】
又は、ＴＤＤ  Ｎｏｎ−ｅＩＭＴＡ  ＰＣｅｌｌ関連上りリンク／下りリンクサブフレーム設定とは独立して、ＴＤＤ  ｅＩＭＴＡ  ＳＣｅｌｌの実際上りリンク−下りリンクサブフレーム設定（及び／又は下りリンクＨＡＲＱ参照サブフレーム設定及び／又は上りリンクＨＡＲＱ参照サブフレーム設定及び／又はＳＩＢ１上りリンク／下りリンクサブフレーム設定及び／又は上りリンク参照ＨＡＲＱタイムライン及び／又は下りリンク参照ＨＡＲＱタイムライン）上で下りリンクサブフレーム及び／又は特別サブフレームとして用いられるサブフレームだけを有効ＣＳＩ測定サブフレームと定義することができる。
【０１３６】
ii）仮にＴＤＤ  ｅＩＭＴＡ  ＳＣｅｌｌがフォールバックモードで（すなわち、ＳＩＢ１上りリンク／下りリンクサブフレーム設定が適用されて）運営される場合には、ＴＤＤ  Ｎｏｎ−ｅＩＭＴＡ  ＰＣｅｌｌのＳＩＢ１上りリンク／下りリンクサブフレーム設定（及び／又は上りリンク参照ＨＡＲＱタイムライン及び／又は下りリンク参照ＨＡＲＱタイムライン）上の下りリンクサブフレーム位置及び／又は特別サブフレーム位置と一致すると共に、ＴＤＤ  ｅＩＭＴＡ  ＳＣｅｌｌのＳＩＢ１上りリンク／下りリンクサブフレーム設定（及び／又は下りリンクＨＡＲＱ参照サブフレーム設定及び／又は上りリンクＨＡＲＱ参照サブフレーム設定及び／又は上りリンク参照ＨＡＲＱタイムライン及び／又は下りリンク参照ＨＡＲＱタイムライン）上で下りリンクサブフレーム及び／又は特別サブフレームとして用いられるサブフレームだけを有効ＣＳＩ測定サブフレームと定義することができる。
【０１３７】
又は、ＴＤＤ  Ｎｏｎ−ｅＩＭＴＡ  ＰＣｅｌｌ関連上りリンク／下りリンクサブフレーム設定とは独立して、ＴＤＤ  ｅＩＭＴＡ  ＳＣｅｌｌのＳＩＢ１上りリンク／下りリンクサブフレーム設定（及び／又は下りリンクＨＡＲＱ参照サブフレーム設定及び／又は上りリンクＨＡＲＱ参照サブフレーム設定及び／又は上りリンク参照ＨＡＲＱタイムライン及び／又は下りリンク参照ＨＡＲＱタイムライン）上で下りリンクサブフレーム及び／又は特別サブフレームとして用いられるサブフレームだけを有効ＣＳＩ測定サブフレームと定義することができる。
【０１３８】
又は、ＴＤＤ  ｅＩＭＴＡ  ＳＣｅｌｌ関連特定時点のＣＳＩ報告と連動している有効ＣＳＩ測定サブフレームの位置が、ＴＤＤ  ｅＩＭＴＡ  ＳＣｅｌｌがフォールバックモードで動作する領域と重なる場合、該当のＣＳＩ報告を省略したり、或いは事前に定義された特定値で該当のＣＳＩ報告を行うことができる。或いは、最も最近にＴＤＤ  ｅＩＭＴＡ  ＳＣｅｌｌが非−フォールバックモードで動作する領域と重なる領域の有効ＣＳＩ測定に基づいて既に報告されたＣＳＩ値で該当のＣＳＩ報告を再び行うことができる。
【０１３９】
Ｂ）次に、ＴＤＤ  ｅＩＭＴＡ  ＰＣｅｌｌとＴＤＤ  Ｎｏｎ−ｅＩＭＴＡ  ＳＣｅｌｌとが併合された場合を考慮する。
【０１４０】
i）仮にＴＤＤ  ｅＩＭＴＡ  ＰＣｅｌｌが非−フォールバックモードで（すなわち、実際上りリンク−下りリンクサブフレーム設定或いは有効上りリンク−下りリンクサブフレーム設定が適用されて）運営される場合には、ＴＤＤ  ｅＩＭＴＡ  ＰＣｅｌｌの実際上りリンク−下りリンクサブフレーム設定（及び／又は下りリンクＨＡＲＱ参照サブフレーム設定及び／又は上りリンクＨＡＲＱ参照サブフレーム設定及び／又はＳＩＢ１上りリンク／下りリンクサブフレーム設定及び／又は上りリンク参照ＨＡＲＱタイムライン及び／又は下りリンク参照ＨＡＲＱタイムライン）上の下りリンクサブフレーム位置及び／又は特別サブフレーム位置と一致すると共に、ＴＤＤ  Ｎｏｎ−ｅＩＭＴＡ  ＳＣｅｌｌのＳＩＢ１上りリンク／下りリンクサブフレーム設定（及び／又は上りリンク参照ＨＡＲＱタイムライン及び／又は下りリンク参照ＨＡＲＱタイムライン）上で下りリンクサブフレーム及び／又は特別サブフレームとして用いられるサブフレームだけを有効ＣＳＩ測定サブフレームと定義することができる。
【０１４１】
又は、ＴＤＤ  ｅＩＭＴＡ  ＰＣｅｌｌ関連上りリンク／下りリンクサブフレーム設定とは独立して、ＴＤＤ  Ｎｏｎ−ｅＩＭＴＡ  ＳＣｅｌｌのＳＩＢ１上りリンク／下りリンクサブフレーム設定（及び／又は上りリンク参照ＨＡＲＱタイムライン及び／又は下りリンク参照ＨＡＲＱタイムライン）上で下りリンクサブフレーム及び／又は特別サブフレームとして用いられるサブフレームだけを有効ＣＳＩ測定サブフレームと定義することができる。
【０１４２】
ii）仮にＴＤＤ  ｅＩＭＴＡ  ＰＣｅｌｌがフォールバックモードで（すなわち、ＳＩＢ１上りリンク／下りリンクサブフレーム設定が適用されて）運営される場合には、ＴＤＤ  ｅＩＭＴＡ  ＰＣｅｌｌのＳＩＢ１上りリンク／下りリンクサブフレーム設定（及び／又は下りリンクＨＡＲＱ参照サブフレーム設定及び／又は上りリンクＨＡＲＱ参照サブフレーム設定及び／又は上りリンク参照ＨＡＲＱタイムライン及び／又は下りリンク参照ＨＡＲＱタイムライン）上の下りリンクサブフレーム位置及び／又は特別サブフレーム位置と一致すると共に、ＴＤＤ  Ｎｏｎ−ｅＩＭＴＡ  ＳＣｅｌｌのＳＩＢ１上りリンク／下りリンクサブフレーム設定（及び／又は上りリンク参照ＨＡＲＱタイムライン及び／又は下りリンク参照ＨＡＲＱタイムライン）上で下りリンクサブフレーム及び／又は特別サブフレームとして用いられるサブフレームだけを有効ＣＳＩ測定サブフレームと定義することができる。
【０１４３】
又は、ＴＤＤ  ｅＩＭＴＡ  ＰＣｅｌｌ関連上りリンク／下りリンクサブフレーム設定とは独立して、ＴＤＤ  Ｎｏｎ−ｅＩＭＴＡ  ＳＣｅｌｌのＳＩＢ１上りリンク／下りリンクサブフレーム設定（及び／又は上りリンク参照ＨＡＲＱタイムライン及び／又は下りリンク参照ＨＡＲＱタイムライン）上で下りリンクサブフレーム及び／又は特別サブフレームとして用いられるサブフレームだけを有効ＣＳＩ測定サブフレームと定義することができる。
【０１４４】
同様に、ＴＤＤ  Ｎｏｎ−ｅＩＭＴＡ  ＳＣｅｌｌ（及び／又はＴＤＤ  ｅＩＭＴＡ  ＰＣｅｌｌ）関連特定時点のＣＳＩ報告と連動している有効ＣＳＩ測定サブフレームの位置がＴＤＤ  ｅＩＭＴＡ  ＰＣｅｌｌがフォールバックモードで動作する領域と重なる場合、該当のＣＳＩ報告を省略したり、或いは事前に定義された特定値で該当のＣＳＩ報告を行うことができる。或いは、最も最近にＴＤＤ  ｅＩＭＴＡ  ＰＣｅｌｌが非−フォールバックモードで動作する領域と重なる領域の有効ＣＳＩ測定サブフレームに基づいて報告されたＴＤＤ  Ｎｏｎ−ｅＩＭＴＡ  ＳＣｅｌｌ関連ＣＳＩ値及び／又はＴＤＤ  ｅＩＭＴＡ  ＰＣｅｌｌ関連ＣＳＩ値で該当のＣＳＩ報告を再び行うこともできる。
【０１４５】
Ｃ）なお、ＴＤＤ  ｅＩＭＴＡ  ＰＣｅｌｌとＴＤＤ  ｅＩＭＴＡ  ＳＣｅｌｌとが併合された場合を考慮する。
【０１４６】
i）仮にＴＤＤ  ｅＩＭＴＡ  ＰＣｅｌｌが非−フォールバックモードで（すなわち、実際上りリンク−下りリンクサブフレーム設定或いは有効上りリンク−下りリンクサブフレーム設定が適用されて）運営され、ＴＤＤ  ｅＩＭＴＡ  ＳＣｅｌｌも非−フォールバックモードで運営される場合には、ＴＤＤ  ｅＩＭＴＡ  ＰＣｅｌｌの実際上りリンク−下りリンクサブフレーム設定（及び／又は下りリンクＨＡＲＱ参照サブフレーム設定及び／又は上りリンクＨＡＲＱ参照サブフレーム設定及び／又はＳＩＢ１上りリンク／下りリンクサブフレーム設定及び／又は上りリンク参照ＨＡＲＱタイムライン及び／又は下りリンク参照ＨＡＲＱタイムライン）上の下りリンクサブフレーム位置及び／又は特別サブフレーム位置と一致すると共に、ＴＤＤ  ｅＩＭＴＡ  ＳＣｅｌｌの実際上りリンク−下りリンクサブフレーム設定（及び／又は下りリンクＨＡＲＱ参照サブフレーム設定及び／又は上りリンクＨＡＲＱ参照サブフレーム設定及び／又はＳＩＢ１上りリンク／下りリンクサブフレーム設定及び／又は上りリンク参照ＨＡＲＱタイムライン及び／又は下りリンク参照ＨＡＲＱタイムライン）上で下りリンクサブフレーム及び／又は特別サブフレームとして用いられるサブフレームだけを有効ＣＳＩ測定サブフレームと定義することができる。
【０１４７】
また、ＴＤＤ  ｅＩＭＴＡ  ＰＣｅｌｌ関連上りリンク／下りリンクサブフレーム設定とは独立して、ＴＤＤ  ｅＩＭＴＡ  ＳＣｅｌｌの実際上りリンク−下りリンクサブフレーム設定（及び／又は下りリンクＨＡＲＱ参照サブフレーム設定及び／又は上りリンクＨＡＲＱ参照サブフレーム設定及び／又はＳＩＢ１上りリンク／下りリンクサブフレーム設定及び／又は上りリンク参照ＨＡＲＱタイムライン及び／又は下りリンク参照ＨＡＲＱタイムライン）上で下りリンクサブフレーム及び／又は特別サブフレームとして用いられるサブフレームだけを有効ＣＳＩ測定サブフレームと定義することができる。
【０１４８】
ii）仮にＴＤＤ  ｅＩＭＴＡ  ＰＣｅｌｌがフォールバックモードで（すなわち、ＳＩＢ１上りリンク／下りリンクサブフレーム設定が適用されて）運営され、ＴＤＤ  ｅＩＭＴＡ  ＳＣｅｌｌが非−フォールバックモードで（すなわち、実際上りリンク−下りリンクサブフレーム設定或いは有効上りリンク−下りリンクサブフレーム設定が適用されて）運営される場合には、ＴＤＤ  ｅＩＭＴＡ  ＰＣｅｌｌのＳＩＢ１上りリンク／下りリンクサブフレーム設定（及び／又は下りリンクＨＡＲＱ参照サブフレーム設定及び／又は上りリンクＨＡＲＱ参照サブフレーム設定及び／又は上りリンク参照ＨＡＲＱタイムライン及び／又は下りリンク参照ＨＡＲＱタイムライン）上の下りリンクサブフレーム位置及び／又は特別サブフレーム位置と一致すると共に、ＴＤＤ  ｅＩＭＴＡ  ＳＣｅｌｌの実際上りリンク−下りリンクサブフレーム設定（及び／又は下りリンクＨＡＲＱ参照サブフレーム設定及び／又は上りリンクＨＡＲＱ参照サブフレーム設定及び／又はＳＩＢ１上りリンク／下りリンクサブフレーム設定及び／又は上りリンク参照ＨＡＲＱタイムライン及び／又は下りリンク参照ＨＡＲＱタイムライン）上で下りリンクサブフレーム及び／又は特別サブフレームとして用いられるサブフレームだけを有効ＣＳＩ測定サブフレームと定義することができる。
【０１４９】
又は、ＴＤＤ  ｅＩＭＴＡ  ＰＣｅｌｌ関連上りリンク／下りリンクサブフレーム設定とは独立して、ＴＤＤ  ｅＩＭＴＡ  ＳＣｅｌｌの実際上りリンク−下りリンクサブフレーム設定（及び／又は下りリンクＨＡＲＱ参照サブフレーム設定及び／又は上りリンクＨＡＲＱ参照サブフレーム設定及び／又はＳＩＢ１上りリンク／下りリンクサブフレーム設定及び／又は上りリンク参照ＨＡＲＱタイムライン及び／又は下りリンク参照ＨＡＲＱタイムライン）上で下りリンクサブフレーム及び／又は特別サブフレームとして用いられるサブフレームだけを有効ＣＳＩ測定サブフレームと定義することができる。
【０１５０】
iii）仮にＴＤＤ  ｅＩＭＴＡ  ＰＣｅｌｌが非−フォールバックモードで（すなわち、実際上りリンク−下りリンクサブフレーム設定或いは有効上りリンク−下りリンクサブフレーム設定が適用されて）運営され、ＴＤＤ  ｅＩＭＴＡ  ＳＣｅｌｌがフォールバックモードで（すなわち、ＳＩＢ１上りリンク／下りリンクサブフレーム設定が適用されて）運営される場合には、ＴＤＤ  ｅＩＭＴＡ  ＰＣｅｌｌの実際上りリンク−下りリンクサブフレーム設定（及び／又は下りリンクＨＡＲＱ参照サブフレーム設定及び／又は上りリンクＨＡＲＱ参照サブフレーム設定及び／又はＳＩＢ１上りリンク／下りリンクサブフレーム設定及び／又は上りリンク参照ＨＡＲＱタイムライン及び／又は下りリンク参照ＨＡＲＱタイムライン）上の下りリンクサブフレーム位置及び／又は特別サブフレーム位置と一致すると共に、ＴＤＤ  ｅＩＭＴＡ  ＳＣｅｌｌのＳＩＢ１上りリンク／下りリンクサブフレーム設定（及び／又は下りリンクＨＡＲＱ参照サブフレーム設定及び／又は上りリンクＨＡＲＱ参照サブフレーム設定及び／又は上りリンク参照ＨＡＲＱタイムライン及び／又は下りリンク参照ＨＡＲＱタイムライン）上で下りリンクサブフレーム及び／又は特別サブフレームとして用いられるサブフレームだけを有効ＣＳＩ測定サブフレームと定義することができる。
【０１５１】
また、ＴＤＤ  ｅＩＭＴＡ  ＰＣｅｌｌ関連上りリンク／下りリンクサブフレーム設定とは独立して、ＴＤＤ  ｅＩＭＴＡ  ＳＣｅｌｌのＳＩＢ１上りリンク／下りリンクサブフレーム設定（及び／又は下りリンクＨＡＲＱ参照サブフレーム設定及び／又は上りリンクＨＡＲＱ参照サブフレーム設定及び／又は上りリンク参照ＨＡＲＱタイムライン及び／又は下りリンク参照ＨＡＲＱタイムライン）上で下りリンクサブフレーム及び／又は特別サブフレームとして用いられるサブフレームだけを有効ＣＳＩ測定サブフレームと定義することができる。
【０１５２】
iv）仮にＴＤＤ  ｅＩＭＴＡ  ＰＣｅｌｌがフォールバックモードで（すなわち、ＳＩＢ１上りリンク／下りリンクサブフレーム設定が適用されて）運営され、ＴＤＤ  ｅＩＭＴＡ  ＳＣｅｌｌもフォールバックモードで運営される場合には、ＴＤＤ  ｅＩＭＴＡ  ＰＣｅｌｌのＳＩＢ１上りリンク／下りリンクサブフレーム設定（及び／又は下りリンクＨＡＲＱ参照サブフレーム設定及び／又は上りリンクＨＡＲＱ参照サブフレーム設定及び／又は上りリンク参照ＨＡＲＱタイムライン及び／又は下りリンク参照ＨＡＲＱタイムライン）上の下りリンクサブフレーム位置及び／又は特別サブフレーム位置と一致すると共に、ＴＤＤ  ｅＩＭＴＡ  ＳＣｅｌｌのＳＩＢ１上りリンク／下りリンクサブフレーム設定（及び／又は下りリンクＨＡＲＱ参照サブフレーム設定及び／又は上りリンクＨＡＲＱ参照サブフレーム設定及び／又は上りリンク参照ＨＡＲＱタイムライン及び／又は下りリンク参照ＨＡＲＱタイムライン）上で下りリンクサブフレーム及び／又は特別サブフレームとして用いられるサブフレームだけを有効ＣＳＩ測定サブフレームと定義することができる。
【０１５３】
又は、ＴＤＤ  ｅＩＭＴＡ  ＰＣｅｌｌ関連上りリンク／下りリンクサブフレーム設定とは独立して、ＴＤＤ  ｅＩＭＴＡ  ＳＣｅｌｌのＳＩＢ１上りリンク／下りリンクサブフレーム設定（及び／又は下りリンクＨＡＲＱ参照サブフレーム設定及び／又は上りリンクＨＡＲＱ参照サブフレーム設定及び／又は上りリンク参照ＨＡＲＱタイムライン及び／又は下りリンク参照ＨＡＲＱタイムライン）上で下りリンクサブフレーム及び／又は特別サブフレームとして用いられるサブフレームだけを有効ＣＳＩ測定サブフレームと定義することができる。
【０１５４】
なお、ＴＤＤ  ｅＩＭＴＡ  ＳＣｅｌｌ（及び／又はＴＤＤ  ｅＩＭＴＡ  ＰＣｅｌｌ）関連特定時点のＣＳＩ報告と連動している有効ＣＳＩ測定サブフレームの位置がＴＤＤ  ｅＩＭＴＡ  ＳＣｅｌｌ（及び／又はＴＤＤ  ｅＩＭＴＡ  ＰＣｅｌｌ）がフォールバックモードで動作する領域と重なる場合、該当のＣＳＩ報告を省略したり、或いは事前に定義された特定値で該当のＣＳＩ報告を行うことができる。或いは、最も最近にＴＤＤ  ｅＩＭＴＡ  ＳＣｅｌｌ（及び／又はＴＤＤ  ｅＩＭＴＡ  ＰＣｅｌｌ）が非−フォールバックモードで動作する領域と重なる領域の有効ＣＳＩ測定サブフレームに基づいて報告された（ＴＤＤ  ｅＩＭＴＡ  ＳＣｅｌｌ関連ＣＳＩ値及び／又はＴＤＤ  ｅＩＭＴＡ  ＰＣｅｌｌ関連ＣＳＩ値で該当のＣＳＩ報告を再び行うこともできる。
【０１５５】
Ｄ）最後に、ＴＤＤ  Ｎｏｎ−ｅＩＭＴＡ  ＰＣｅｌｌとＴＤＤ  Ｎｏｎ−ｅＩＭＴＡ  ＳＣｅｌｌとが併合された場合を考慮する。この場合には、ＴＤＤ  ｅＩＭＴＡ  ＰＣｅｌｌのＳＩＢ１上りリンク／下りリンクサブフレーム設定（及び／又は上りリンク参照ＨＡＲＱタイムライン及び／又は下りリンク参照ＨＡＲＱタイムライン）上の下りリンクサブフレーム位置及び／又は特別サブフレーム位置と一致すると共に、ＴＤＤ  ｅＩＭＴＡ  ＳＣｅｌｌのＳＩＢ１上りリンク／下りリンクサブフレーム設定（及び／又は上りリンク参照ＨＡＲＱタイムライン及び／又は下りリンク参照ＨＡＲＱタイムライン）上で下りリンクサブフレーム及び／又は特別サブフレームとして用いられるサブフレームだけを有効ＣＳＩ測定サブフレームと定義することができる。
【０１５６】
Ｅ）さらに、ＴＤＤ（ｅＩＭＴＡ／Ｎｏｎ−ｅＩＭＴＡ）ＳＣｅｌｌ（及び／又はＴＤＤ（ｅＩＭＴＡ／Ｎｏｎ−ｅＩＭＴＡ）ＰＣｅｌｌ）関連特定時点のＣＳＩ報告と連動している有効ＣＳＩ測定サブフレーム候補は、事前に設定された（或いは事前にシグナルされた）区間内でのみ存在すると仮定されるように規則を定義することができる。ここで、一例として、事前に設定された区間内で特定時点のＣＳＩ報告と連動している有効ＣＳＩ測定サブフレーム候補は、上記のＡ）乃至Ｄ）のいずれか一つで定義することができる。また、仮に該当の区間内で特定時点のＣＳＩ報告と連動している有効ＣＳＩ測定サブフレーム候補が存在しない場合には、該当のＣＳＩ報告を省略したり、或いは事前に定義された特定値で該当のＣＳＩ報告を行うことができる。或いは、最も最近に事前に設定された区間内で存在する有効ＣＳＩ測定サブフレームに基づいて既に報告されたＣＳＩ値で該当のＣＳＩ報告を再び行うこともできる。
【０１５７】
上述した提案方式は、搬送波集成技法が適用された状況下で少なくとも特定の一つのセルの無線リソース用途が負荷状態によって動的に変更される場合（及び／又は少なくとも特定の一つのセルの送信モードが事前に定義された送信モードと指定される場合、及び／又は少なくとも特定の一つのセル（例えば、ＴＤＤ  ｅＩＭＴＡセル）の上りリンク−下りリンク設定（上りリンク−下りリンクサブフレーム設定）が特定値に（再）設定された場合）にのみ限定的に適用されるように規則を定義することができる。また、上記の提案方式は、周期的チャネル状態情報（Ｐ−ＣＳＩ）報告関連動作（及び／又は非周期的チャネル状態情報（Ａ−ＣＳＩ）報告関連動作）にのみ限定的に適用されるように定義してもよい。
【０１５８】
さらに、ＦＤＤ  ＰＣｅｌｌ上の有効ＣＳＩ測定サブフレームは、ＦＤＤ  ＤＬ  ＣＣ（すなわち、ＦＤＤ  ＰＣｅｌｌ）上の下りリンクサブフレームと定義されてもよく、ＴＤＤ  ＰＣｅｌｌ上の有効ＣＳＩ測定サブフレームは、ＳＩＢ１上りリンク−下りリンクサブフレーム設定（すなわち、ＴＤＤ  ＰＣｅｌｌ）上の下りリンクサブフレーム及び特別サブフレームと定義されてもよい。また、ＴＤＤ  ｅＩＭＴＡ  ＰＣｅｌｌ上の有効ＣＳＩ測定サブフレームは、実際上りリンク−下りリンクサブフレーム設定（及び／又は下りリンクＨＡＲＱ参照サブフレーム設定及び／又は上りリンクＨＡＲＱ参照サブフレーム設定及び／又はＳＩＢ１上りリンク／下りリンクサブフレーム設定及び／又は上りリンク参照ＨＡＲＱタイムライン及び／又は下りリンク参照ＨＡＲＱタイムライン）上の下りリンクサブフレーム及び／又は特別サブフレームと定義（すなわち、非−フォールバックモードの場合）されたり、或いはＳＩＢ１上りリンク／下りリンクサブフレーム設定（及び／又は下りリンクＨＡＲＱ参照サブフレーム設定及び／又は上りリンクＨＡＲＱ参照サブフレーム設定及び／又は上りリンク参照ＨＡＲＱタイムライン及び／又は下りリンク参照ＨＡＲＱタイムライン）上の下りリンクサブフレーム及び／又は特別サブフレームと定義（すなわち、フォールバックモードの場合）されてもよい。
【０１５９】
上述した提案方式は、搬送波集成技法が適用された状況下で、集成されたセル上で同時送／受信（Ｓｉｍｕｌｔａｎｅｏｕｓ  ＴＸ  ａｎｄ  ＲＸ）動作を行えない端末観点で、ＰＣｅｌｌ上のサブフレーム使用がＳＣｅｌｌのものよりも優先（Ｐｒｉｏｒｉｔｉｚａｔｉｏｎ）する場合にのみ限定的に適用されてもよい。さらに、上述した提案方式は、搬送波集成技法が適用されたセル上で同時送／受信動作を行えない端末にのみ限定的に適用されるように適用されてもよい。さらに、本発明は、ＰＣｅｌｌ（或いはＳＣｅｌｌ）上の特別サブフレームのＤｗＰＴＳ領域が
【数２】
0006490087.tif 000012
よりも大きい（或いは、大きいか又は等しい）領域にのみ限定的に適用されるように規則を定義することができる。
【０１６０】
また、上述した実施例で、ＴＤＤ（ｅＩＭＴＡ／Ｎｏｎ−ｅＩＭＴＡ）  ＰＣｅｌｌとＦＤＤ  ＳＣｅｌｌ（及び／又はＴＤＤ（ｅＩＭＴＡ／Ｎｏｎ−ｅＩＭＴＡ）  ＳＣｅｌｌ）が搬送波集成技法で用いられ、特定時点でＴＤＤ（ｅＩＭＴＡ／Ｎｏｎ−ｅＩＭＴＡ）  ＰＣｅｌｌが特別サブフレームであり、該当の時点でＦＤＤ  ＳＣｅｌｌ（及び／又はＴＤＤ（ｅＩＭＴＡ／Ｎｏｎ−ｅＩＭＴＡ）  ＳＣｅｌｌ）が下りリンクサブフレームである場合、該当のセル上で同時送／受信動作を行えない端末は、ＦＤＤ  ＳＣｅｌｌ（及び／又はＴＤＤ（ｅＩＭＴＡ／Ｎｏｎ−ｅＩＭＴＡ）  ＳＣｅｌｌ）上の下りリンクサブフレーム領域のうち、ＴＤＤ（ｅＩＭＴＡ／Ｎｏｎ−ｅＩＭＴＡ）  ＰＣｅｌｌの特別サブフレーム上のＤｗＰＴＳ領域に該当する領域でのみＣＲＳ送信が行われると仮定するように規則を定義することができる。
【０１６１】
また、上述した実施例に関する情報或いは該当の実施例を適用するか否かに関する情報などは、基地局が端末に、事前に定義されたシグナル（例えば、物理層或いは上位層シグナル）で知らせるとができる。上述した実施例は、ＴＤＤ  ＣｅｌｌとＦＤＤ  Ｃｅｌｌが搬送波集成技法で用いられる場合（例えば、ＴＤＤ（ｅＩＭＴＡ／Ｎｏｎ−ｅＩＭＴＡ）  ＰＣｅｌｌとＦＤＤ  ＳＣｅｌｌ、或いはＦＤＤ  ＰＣｅｌｌとＴＤＤ（ｅＩＭＴＡ／Ｎｏｎ−ｅＩＭＴＡ）  ＳＣｅｌｌ）にのみ限定的に適用されるように規則を定義することもできる。
【０１６２】
さらに、上記の実施例によれば、ＳＣｅｌｌで有効ＣＳＩ測定サブフレームと定義されたリソースでは、ＰＣｅｌｌでの上りリンクスケジューリングがなされないことが好ましい。それにもかかわらず、ＰＣｅｌｌでの上りリンクスケジューリングが発生した場合、ＳＣｅｌｌに優先順位を与えて、基地局のスケジューリング誤りとして取扱ったり、又は、ＰＣｅｌｌに優先順位を与えて基地局スケジューリングに従うなどのいずれか一動作を行うことができる。図面を参照して説明する。
【０１６３】
図９は、本発明の他の実施例に係るＣＳＩの報告方法を示すフローチャートである。特に、図９は、本発明の第３実施例のように、ＦＤＤ  ＵＬ  ＣＣ関連帯域とＴＤＤ  ＳＣｅｌｌ関連帯域とが閾値以下で隣接した場合、又は集成されたセル上で同時送／受信（Ｓｉｍｕｌｔａｎｅｏｕｓ  ＴＸ  ａｎｄ  ＲＸ）動作を行えない端末である場合を仮定する。
【０１６４】
図９を参照すると、段階９０１で、端末は、ＴＤＤ  ＳＣｅｌｌの特定上りリンク／下りリンクサブフレーム設定によってＴＤＤ  ＳＣｅｌｌでの有効サブフレームを設定する。その後、段階９０３のように、ネットワークから有効サブフレームのうち特定サブフレームに対するＦＤＤ  ＰＣｅｌｌでの上りリンクスケジューリング情報を受信することができる。
【０１６５】
この場合、本発明によれば、段階９０５のように、端末は、上記スケジューリング情報を無視したり、又は上記特定サブフレームを上記有効サブフレームから除外することができる。
【０１６６】
図１０は、本発明の一実施例に係る通信装置のブロック構成図である。
【０１６７】
図１０を参照すると、通信装置１０００は、プロセッサ１０１０、メモリ１０２０、ＲＦモジュール１０３０、ディスプレイモジュール１０４０、及びユーザインターフェースモジュール１０５０を備えている。
【０１６８】
通信装置１０００は説明の便宜のために示されたものであり、一部のモジュールは省略されてもよい。また、通信装置１０００は必要なモジュールをさらに備えてもよい。また、通信装置１０００において一部のモジュールはより細分化したモジュールに区分されてもよい。プロセッサ１０１０は、図面を参照して例示した本発明の実施例に係る動作を実行するように構成される。具体的に、プロセッサ１０１０の詳細な動作は、図１乃至図９に記載された内容を参照すればよい。
【０１６９】
メモリ１０２０は、プロセッサ１０１０に接続し、オペレーティングシステム、アプリケーション、プログラムコード、データなどを格納する。ＲＦモジュール１０３０は、プロセッサ１０１０に接続し、基底帯域信号を無線信号に変換したり、無線信号を基底帯域信号に変換する機能を果たす。そのために、ＲＦモジュール１０３０は、アナログ変換、増幅、フィルタリング及び周波数アップ変換、又はこれらの逆過程を行う。ディスプレイモジュール１０４０は、プロセッサ１０１０に接続し、様々な情報をディスプレイする。ディスプレイモジュール１０４０は、特に制限されるものではなく、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のような周知の要素を用いることができる。ユーザインターフェースモジュール１０５０は、プロセッサ１０１０に接続し、キーパッド、タッチスクリーンなどのような周知のユーザインターフェースの組合せで構成可能である。
【０１７０】
以上説明してきた実施例は、本発明の構成要素及び特徴を所定の形態で結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更してもよい。ある実施例の一部の構成や特徴は、他の実施例に含まれてもよく、他の実施例の対応する構成又は特徴に置き換えてもよい。特許請求の範囲において明示的な引用関係にない請求項を結合して実施例を構成したり、出願後の補正によって新しい請求項として含めてもよいことは明らかである。
【０１７１】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現では、本発明の一実施例は、一つ又はそれ以上のＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｏｒ）、ＤＳＰＤ（ｄｉｇｉｔａｌ  ｓｉｇｎａｌ  ｐｒｏｃｅｓｓｉｎｇ  ｄｅｖｉｃｅ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、コントローラ、マイクロコントローラ、マイクロプロセッサなどによって具現することができる。
【０１７２】
ファームウェアやソフトウェアによる具現では、本発明の一実施例は、以上で説明された機能又は動作を実行するモジュール、手順、関数などの形態で具現されうる。ソフトウェアコードは、メモリユニットに記憶され、プロセッサによって駆動可能である。メモリユニットは、プロセッサの内部又は外部に設けられ、公知の様々な手段によってプロセッサとデータを授受することができる。
【０１７３】
本発明は、本発明の特徴から逸脱しない範囲で別の特定の形態に具体化できるということが当業者にとって自明である。したがって、上記の詳細な説明は、いずれの面においても制限的に解釈してはならず、例示的なものとして考慮しなければならない。本発明の範囲は、添付の請求項の合理的な解釈によって決定しなければならず、本発明の同等な範囲内における変更はいずれも本発明の範囲に含まれる。
【産業上の利用可能性】
【０１７４】
上述した無線通信システムにおいてチャネル状態情報の参照リソースを設定する方法及びそのための装置は、３ＧＰＰ ＬＴＥシステムに適用される例を中心に説明したが、３ＧＰＰ  ＬＴＥシステムの他、様々な無線通信システムにも適用可能である。
【図１】
0006490087.tif 000013
【図２】
0006490087.tif 000014
【図３】
0006490087.tif 000015
【図４】
0006490087.tif 000016
【図５】
0006490087.tif 000017
【図６】
0006490087.tif 000018
【図７】
0006490087.tif 000019
【図８】
0006490087.tif 000020
【図９】
0006490087.tif 000021
【図１０】
0006490087.tif 000022